(57)【特許請求の範囲】
【請求項１】
部品を識別するための部品識別情報と、前記各部品の物理的特性を特定する特性特定情報と、が関連づけられた部品特性情報を記憶する部品特性情報記憶手段と、
前記各部品に使用される材料を識別する材料識別情報と、前記材料の物理的特性を特定する材料特性情報と、が関連づけられた材料情報を記憶する材料情報記憶手段と、
物品を構成する複数の部品を特定する構成部品特定情報と、前記各部品の前記部品識別情報と、前記各部品の前記特性特定情報と、前記各部品で使用された材料の材料識別情報と、を含む物品構成情報を記憶する物品構成情報記憶手段と、
前記構成部品特定情報が表示される構成部品特定情報表示欄と、前記部品識別情報が表示される部品識別情報表示欄と、前記特性特定情報が表示される特性特定情報表示欄と、前記材料識別情報が表示される材料識別情報表示欄と、を含む物品構成情報表示画面を表示器に表示する物品構成情報表示手段と、
前記物品構成情報表示画面の前記材料識別情報表示欄への入力に基づいて、入力された前記材料識別情報に対応する材料特性情報を、前記材料情報記憶手段から取得し、前記物品構成情報表示画面に表示された物品構成情報の前記特性特定情報に反映する特性情報反映手段と、
を備えたことを特徴とする設計支援システム。
【請求項２】
前記物品構成情報表示画面に表示された各情報を編集する入力を行う入力部材と、
前記特性特定情報表示欄に表示された特性特定情報の編集がされたか否かを判別する特性特定情報編集判別手段と、
前記特性特定情報編集判別手段により編集がされたと判別された場合に、編集後の特性特定情報を、前記部品特性情報記憶手段の前記部品特性情報に反映するか否かの確認をするための反映確認画面を表示器に表示する反映確認画面表示手段と、
前記反映確認画面で反映するとの入力がされた場合に、前記部品特性情報記憶手段に記憶された前記部品特性情報の特性特定情報に、編集後の特性特定情報を反映する前記特性情報反映手段と、
を備えたことを特徴とする請求項１に記載の設計支援システム。
【請求項３】
前記部品構成情報の改訂された回数を特定するための改訂回数情報、をさらに含む前記部品特性情報を記憶する前記部品特性情報記憶手段と、
前記特性特定情報表示欄に表示された改訂回数情報が編集された場合に、編集後の前記改訂回数と、前記部品特性情報記憶手段に記憶された前記部品特性情報に含まれる前記改訂回数と、に基づいて、前記編集後の改訂回数が前記部品特性情報記憶手段に記憶された改訂回数よりも大きいか否かを判別する改訂回数判別手段と、
前記編集後の改訂回数が大きくない場合に、前記部品特性情報記憶手段に記憶された前記部品特性情報の方が更新されていることを告知する告知手段と、
を備えたことを特徴とする請求項２に記載の設計支援システム。
【請求項４】
前記部品特性情報記憶手段と、前記材料情報記憶手段と、特性情報反映手段と、を有する特性情報記憶装置と、
前記物品構成情報記憶手段と、を有し、前記特性情報記憶装置に情報通信回線を介して接続された物品構成情報記憶装置と、
前記物品構成情報表示手段と、を有し、前記特性情報記憶装置および前記物品構成情報記憶装置に情報通信回線を介して接続された構成情報編集装置と、
を備えたことを特徴とする請求項１ないし３のいずれかに記載の設計支援システム。
【発明の詳細な説明】
【技術分野】
【０００１】
本発明は設計支援システムに関する。
【背景技術】
【０００２】
一般に、機械製品は、複数の部品が組み立てられて製造され、部品が集合したユニット等の集合体、いわゆるAssy体、Assembly体等により製品が構成されていることが多い。このような機械製品を設計する際に、製品を構成する部品や集合体、あるいは集合体を構成する部品や集合体の関係を階層的にツリー状に配列した製品構成表、いわゆる、Family  Tree、または、ＦＴが従来から使用されている。
また、前記製品を構成する部品や集合体は、部品毎または集合体毎に製図が行われており、製品や部品の製造、管理、部品の注文等を行うために、製図された図面と製品構成表とを対応づけることも従来から行われている。前記製品構成表の作成や、製図は、電子計算機、いわゆるコンピュータを使用して行われることが一般的となっており、これらを連携させる設計支援システムとして、下記の技術が知られている。
【０００３】
特許文献１としての特開２００３−３１６８３４号公報には、製図を行う３次元計算機支援設計、いわゆる３Ｄ−ＣＡＤ：３Dimension−Computer  Aided  Designと、製品構成表を管理する設計技術情報管理システム、いわゆるＰＤＭシステム：Product  Data  Management Systemとを連携させるシステムにおいて、ＣＡＤで入力された部品の個数や、機能や安全性を満たす材質の強度、耐久性、重量、値段、燃えやすさ等の特性に関する情報を、設計者の知識や判断、技術書に基づいて入力し、ＰＤＭ用のデータ形式に変換して製品構成表に登録、反映する技術が記載されている。また、ＰＤＭシステム側で編集を行った場合、編集内容が３Ｄ−ＣＡＤデータに反映される技術も記載されている。
【０００４】
【特許文献１】特開２００３−３１６８３４号公報（「００２６」〜「００２７」、「００３０」〜「００３５」）
【発明の開示】
【発明が解決しようとする課題】
【０００５】
本発明は、設計者の入力の負担や誤入力を低減することを技術的課題とする。
【課題を解決するための手段】
【０００６】
前記技術的課題を解決するために、請求項１に記載の発明の設計支援システムは、
部品を識別するための部品識別情報と、前記各部品の物理的特性を特定する特性特定情報と、が関連づけられた部品特性情報を記憶する部品特性情報記憶手段と、
前記各部品に使用される材料を識別する材料識別情報と、前記材料の物理的特性を特定する材料特性情報と、が関連づけられた材料情報を記憶する材料情報記憶手段と、
物品を構成する複数の部品を特定する構成部品特定情報と、前記各部品の前記部品識別情報と、前記各部品の前記特性特定情報と、前記各部品で使用された材料の材料識別情報と、を含む物品構成情報を記憶する物品構成情報記憶手段と、
前記構成部品特定情報が表示される構成部品特定情報表示欄と、前記部品識別情報が表示される部品識別情報表示欄と、前記特性特定情報が表示される特性特定情報表示欄と、前記材料識別情報が表示される材料識別情報表示欄と、を含む物品構成情報表示画面を表示器に表示する物品構成情報表示手段と、
前記物品構成情報表示画面の前記材料識別情報表示欄への入力に基づいて、入力された前記材料識別情報に対応する材料特性情報を、前記材料情報記憶手段から取得し、前記物品構成情報表示画面に表示された物品構成情報の前記特性特定情報に反映する特性情報反映手段と、
を備えたことを特徴とする。
【０００７】
請求項２に記載の発明は、請求項１に記載の設計支援システムにおいて、
前記物品構成情報表示画面に表示された各情報を編集する入力を行う入力部材と、
前記特性特定情報表示欄に表示された特性特定情報の編集がされたか否かを判別する特性特定情報編集判別手段と、
前記特性特定情報編集判別手段により編集がされたと判別された場合に、編集後の特性特定情報を、前記部品特性情報記憶手段の前記部品特性情報に反映するか否かの確認をするための反映確認画面を表示器に表示する反映確認画面表示手段と、
前記反映確認画面で反映するとの入力がされた場合に、前記部品特性情報記憶手段に記憶された前記部品特性情報の特性特定情報に、編集後の特性特定情報を反映する前記特性情報反映手段と、
を備えたことを特徴とする。
【０００８】
請求項３に記載の発明は、請求項２に記載の設計支援システムにおいて、
前記部品構成情報の改訂された回数を特定するための改訂回数情報、をさらに含む前記部品特性情報を記憶する前記部品特性情報記憶手段と、
前記特性特定情報表示欄に表示された改訂回数情報が編集された場合に、編集後の前記改訂回数と、前記部品特性情報記憶手段に記憶された前記部品特性情報に含まれる前記改訂回数と、に基づいて、前記編集後の改訂回数が前記部品特性情報記憶手段に記憶された改訂回数よりも大きいか否かを判別する改訂回数判別手段と、
前記編集後の改訂回数が大きくない場合に、前記部品特性情報記憶手段に記憶された前記部品特性情報の方が更新されていることを告知する告知手段と、
を備えたことを特徴とする。
【０００９】
請求項４に記載の発明は、請求項１ないし３のいずれかに記載の設計支援システムにおいて、
前記部品特性情報記憶手段と、前記材料情報記憶手段と、特性情報反映手段と、を有する特性情報記憶装置と、
前記物品構成情報記憶手段と、を有し、前記特性情報記憶装置に情報通信回線を介して接続された物品構成情報記憶装置と、
前記物品構成情報表示手段と、を有し、前記特性情報記憶装置および前記物品構成情報記憶装置に情報通信回線を介して接続された構成情報編集装置と、
を備えたことを特徴とする。
【発明の効果】
【００１０】
請求項１に記載の発明によれば、物品構成情報表示画面に材料識別情報を入力した場合に、入力された前記材料識別情報に対応する材料特性情報が物品構成情報表示画面の特性特定情報表示欄に自動的に反映されない場合に比べて、設計者の入力の負担や誤入力を低減することができる。
請求項２に記載の発明によれば、反映を行う前に確認を促すことができ、確認画像を表示しない場合に比べて、誤って反映することを低減できる。
請求項３に記載の発明によれば、誤って古い改訂回数に更新することを防止することができる。
請求項４に記載の発明によれば、回線を通じて接続された複数の装置に各手段を分散させることができる。
【発明を実施するための最良の形態】
【００１１】
次に図面を参照しながら、本発明の実施の形態の具体例（実施例）を説明するが、本発明は以下の実施例に限定されるものではない。
なお、以下の図面を使用した説明において、理解の容易のために説明に必要な構成や部材以外の図示は適宜省略されている。
【実施例１】
【００１２】
図１は本発明の実施例１の設計支援システムの全体説明図である。
図１において、実施例１の設計支援システムＳは、インターネット回線１やローカルエリアネットワーク２を含む情報通信回線の一例であるネットワークＮを有する。前記ローカルエリアネットワーク２は、ルーターＲを介してインターネット回線１に接続されている。実施例１では、前記ネットワークＮには、設計者が物品構成表を編集する構成情報編集装置の一例としての構成情報編集端末３や、設計者が製図を行う製図装置の一例としての製図端末４、物品構成表の情報、データや製図データがデータベース化されて記憶されている物品構成情報記憶装置の一例としての物品情報サーバ６、部品の材質情報や物理的特性情報が部品毎にデータベース化されて記憶される特性情報記憶装置の一例としての部品情報サーバ７、物品構成表や製図された図面を印刷する画像形成装置８、その他の端末９，１１，１２が接続されており、相互に情報の送受信が可能である。
【００１３】
前記各端末３，４やサーバ６，７は、計算機の一例としてのコンピュータ装置により構成されており、計算機本体の一例としてのコンピュータ本体Ｈ１と、表示器の一例としてのディスプレイＨ２と、入力部材の一例としてのキーボードＨ３やマウスＨ４を有する入力装置、図示しないＨＤドライブ：ハードディスクドライブ、ＣＤドライブ：コンパクトディスクドライブ等により構成されている。前記端末等３，４，６，７には、コンピュータ装置の基本動作を制御する基本ソフト：オペレーティングシステムや、文書作成用のワープロソフトウェアや作図ソフトウェア、電子メール送受信用のソフトウェア等のアプリケーションプログラム、画像形成装置８を制御するためのソフトウェアの一例であるドライバ等が組み込まれている。
前記画像形成装置８は、印刷用紙を給紙するための複数の給紙容器８ａと、印刷された用紙が排紙される排紙容器８ｂとを有している。なお、前記画像形成装置８は、プリンタ、ＦＡＸ、ネットワークスキャナ、複写機の機能を併せ持つ、例えば、特開２００４−２８７２９７号公報等に記載された従来公知の電子写真方式の複合機を使用可能であり、種々の画像形成装置を採用可能である。
【００１４】
（実施例１の制御部の説明）
（部品情報サーバ７の制御部の説明）
図２は実施例１の部品情報サーバおよび物品情報サーバの制御部が備えている各機能を機能ブロック図で示した図である。
図２において、部品情報サーバ７のコンピュータ本体Ｈ１は、外部との信号の入出力および入出力信号レベルの調節等を行う入出力インターフェース：Ｉ／Ｏ、必要な処理を行うためのプログラムおよびデータ等が記憶されたＲＯＭ：リードオンリーメモリ、必要なデータを一時的に記憶するためのＲＡＭ：ランダムアクセスメモリ、ハードディスクやＲＯＭ等に記憶されたプログラムに応じた処理を行うＣＰＵ：中央演算処理装置、ならびにクロック発振器等を有している。
前記構成の部品情報サーバ７は、前記ハードディスクやＲＯＭ等に記憶されたプログラムを実行することにより種々の機能を実現することができる。
前記部品情報サーバ７の前記ハードディスクドライブには、部品情報サーバ７の基本動作を制御する基本ソフト：オペレーティングシステムＯＳや、アプリケーションプログラムＡＰ、部品情報配信プログラムＰ１が記憶されている。以下、従来公知のオペレーティングシステムＯＳやアプリケーションプログラムＡＰを除くプログラムＰ１の各機能を実現する制御手段を説明する。
【００１５】
図３は実施例１の部品情報サーバに記憶された情報の説明図であり、図３Ａは材料特性情報の一例の説明図、図３Ｂは部品特性情報の一例の説明図である。
前記部品情報配信プログラムＰ１は、情報記憶手段Ｃ１と、部品特性情報編集手段Ｃ２と、部品識別情報問合せ受信手段Ｃ３と、部品特性情報送信手段Ｃ４と、材料識別情報問合せ受信手段Ｃ５と、材料特性情報送信手段Ｃ６と、改訂回数問合せ受信手段の一例としてのＲｅｖ問合せ受信手段Ｃ７と、改訂回数問合せ応答送信手段の一例としてのＲｅｖ問合せ応答情報送信手段Ｃ８と、部品特性情報受信手段Ｃ９と、特性情報反映手段Ｃ１０と、を有する。前記部品情報配信プログラムＰ１は、ネットワークＮに接続された端末３，４や物品情報サーバ６との間で情報の送受信をして、部品を識別するための部品識別情報や各部品の物理的特性を特定する特性特定情報を含む部品特性情報を配信する。
前記情報記憶手段Ｃ１は、材料情報記憶手段の一例としての材料特性情報データベースＣ１ａと、部品特性情報記憶手段の一例としての部品特性情報データベースＣ１ｂとを有する。
【００１６】
前記材料特性情報データベースＣ１ａは、前記各部品に使用される材料を識別する材料識別情報と、前記材料の物理的特性を特定する材料特性情報と、が関連づけられた材料情報を記憶する。図３Ａにおいて、実施例１の材料特性情報データベースＣ１ａは、前記材料識別情報の一例としての材料番号と、各材料番号にそれぞれ関連づけられた材料特性情報と、を含む材料情報が記憶されている。実施例１では、前記材料特性情報の一例としての部品の製造業者すなわちメーカの型番やメーカ名、材料名、ＲｏＨＳ指令：Restriction  of  Hazardous  Substancesすなわち特定有害物質の使用制限に関するＥＵ指令の適合証明データの有無、燃えやすさの指標の一例としての難燃グレード、ＣＴＩ値：Comparative  Tracking  Indexすなわち比較トラッキング指数、ヤング率、ポアソン比、引張り強さ、シャルピー試験硬さ、体積抵抗率、表面抵抗率、リサイクルコード、環境負荷係数、密度とを含む。なお、前記難燃グレードは、燃え難さを示す規格であり、実施例１ではＵＬ規格９４が採用されており、燃えやすい方から「ＨＢ」，「Ｖ−２」，「Ｖ−１」，「Ｖ−０」，「５Ｖ」で分類される。また、ＣＴＩ値は、絶縁破壊の起こし難さの指数であり、環境負荷係数はＣＯ２排出量を計算するための係数である。なお、図３に示すように、全ての項目が登録されていない部品もある。
【００１７】
前記部品特性情報データベースＣ１ｂは、部品を識別する部品識別情報と、各部品識別情報に関連づけられた特性特定情報と、を含む部品特性情報を記憶する。図３Ｂにおいて、実施例１の部品特性情報データベースＣ１ｂは、部品識別情報の一例としての部番：部品番号と、前記部番が割り振られた部品の部品名と、前記材料特定情報データベースＣ１ｂに記憶された材料特性情報と同様の項目を有する特性特定情報と、前記各情報の改訂回数いわゆるリビジョンを特定する改訂回数特定情報の一例としてのＲｅｖデータと、を含む部品特性情報が記憶されている。したがって、実施例１では、前記特性特定情報として、製造業者の型番やメーカ名、材料名、ＲｏＨＳ指令の適合証明データの有無、難燃グレード、ＣＴＩ値、ヤング率、ポアソン比、引張り強さ、シャルピー試験硬さ、体積抵抗率、表面抵抗率、リサイクルコード、環境負荷係数、密度を記憶する。なお、実施例１の特性特定情報では、材料識別情報：材料番号が登録されている場合には、材料特性情報データベースＣ１ａに記憶された材料特性情報が使用されると共に、材料特性情報に未登録の情報が追加された場合には、材料特性情報と追加の情報とを含む特性特定情報を含む。
また、実施例１の前記Ｒｅｖデータは、各部品の情報について、改訂前の部品と互換性がある修正、改訂が行われたことを特定するために使用される情報であり、改訂が行われた場合に「０」、「１」、「２」、…と数値が進行するように値が割り振られるように構成されている。例えば、メーカ側で使用される材料について、微修正があり、ヤング率が強化され、改訂前の部品について代替使用しても問題が発生しない場合に、Ｒｅｖデータの編集が行われる。
さらに、実施例１の前記部番は、５桁の数字によって構成され且つ、下一桁については、改訂前の部品と互換性がない修正、改訂、いわゆるスーパーセッションが行われたことを特定するために使用されている。一例として、前の機種の同じような場所に使用される部品、例えば「軸受け部品」について形状が変更になって代替使用できない場合に、下一桁の数値を「０」、「１」、「２」、…と数値が進行するように割り振るように設定されている。
【００１８】
前記部品特性情報編集手段Ｃ２は、部品情報サーバ７の管理者による入力装置Ｈ３，Ｈ４からの入力に応じて、部品特性情報や材料特性情報の新規登録、修正、削除等の編集が行われる。例えば、新たな部品が製作された場合に部品を追加したり、実験等により追加の特性特定情報、材料特性情報が判明した場合に既に登録された部品の該当項目に情報を追加したりする。なお、実施例１では、材料特性情報データベースＣ１ａに記憶された情報の編集は、部品特性情報編集手段Ｃ２によってのみ可能となっており、部品特性情報データベースＣ１ｂに記憶された情報の編集は、部品特性情報編集手段Ｃ２またはネットワークＮを介して送信された情報に基づいて編集可能に構成されている。
部品識別情報問合せ受信手段Ｃ３は、構成情報編集端末３から送信された部品識別情報の一例としての部番の問合せを受信する。
部品特性情報送信手段Ｃ４は、部番の問合せがされた場合に問合せのあった端末３に、問合せのあった部番に関連づけられた部品特性情報を応答情報として送信すると共に、部品特性情報または材料特性情報の編集がされた場合に部品特性情報を物品情報サーバ６に送信する。
【００１９】
材料識別情報問合せ受信手段Ｃ５は、構成情報編集端末３から送信された材料識別情報の問合せを受信する。
材料識別情報送信手段Ｃ６は、材料識別情報の問合せがされた場合に問合せのあった端末３に材料識別情報を送信したり、材料識別情報の編集がされた場合に材料識別情報を物品情報サーバ６に送信する。
Ｒｅｖ問合せ受信手段Ｃ７は、構成情報編集端末３から送信された改訂回数問合せ情報の一例としてのＲｅｖ問合せ情報を受信する。
Ｒｅｖ問合せ応答情報送信手段Ｃ８は、Ｒｅｖ情報の問合せがされた場合に、問合せのあった端末３に、問合せのあった部品のＲｅｖ情報を送信する。
部品特性情報受信手段Ｃ９は、構成情報編集端末３から送信された更新後の部品特性情報を受信する。
特性情報反映手段Ｃ１０は、部品特性情報受信手段Ｃ９が受信した更新後の部品特性情報を、部品特性情報データベースＣ１ｂに記憶された部品特性情報の特性特定情報に、反映して更新する。
【００２０】
（物品情報サーバ６の制御部の説明）
図２において、物品情報サーバ６のコンピュータ本体Ｈ１は、外部との信号の入出力および入出力信号レベルの調節等を行う入出力インターフェースＩ／Ｏ、必要な処理を行うためのプログラムおよびデータ等が記憶されたＲＯＭ：リードオンリーメモリ、必要なデータを一時的に記憶するためのＲＡＭ：ランダムアクセスメモリ、ハードディスクやＲＯＭ等に記憶されたプログラムに応じた処理を行うＣＰＵ：中央演算処理装置、ならびにクロック発振器等を有している。
前記構成の物品情報サーバ６は、前記ハードディスクやＲＯＭ等に記憶されたプログラムを実行することにより種々の機能を実現することができる。
前記物品情報サーバ６の前記ハードディスクドライブには、物品情報サーバ６の基本動作を制御する基本ソフト：オペレーティングシステムＯＳや、アプリケーションプログラムＡＰ、物品情報配信プログラムＰ２が記憶されている。以下、従来公知のオペレーティングシステムＯＳやアプリケーションプログラムＡＰを除くプログラムＰ２の各制御手段を説明する。
【００２１】
図４は実施例１の物品構成情報の一例の説明図である。
前記物品情報配信プログラムＰ２は、下記の手段Ｃ１１〜Ｃ２５を有し、物品構成情報の配信を行う。
物品構成情報記憶手段の一例としての物品構成情報データベースＣ１１は、物品を構成する複数の部品を特定する構成部品特定情報と、前記各部品の前記部品識別情報と、前記各部品の前記特性特定情報と、を含む物品構成情報を記憶する。図４において、実施例１の物品構成情報は、物品を特定する構成物品特定情報の一例としての「機種名」データと、物品を構成する部位を特定する部位特定情報の一例としての「Ｓｕｂ名」データと、部位を構成する部品「Parts」や集合体「Assy」を階層的に特定する階層特定情報である「ＬＶ１」〜「ＬＶ１０」のデータと、部品名を特定する構成部品特定情報の一例としての「部品名」データと、前記部品識別情報の一例としての「部番」データと、改訂回数情報の一例としての「Ｒｅｖ」データと、部品の数量を特定する数量特定情報の一例としての「QTY」データと、部品がどの物品のどの構成部位を構成しているのかを特定するための識別情報の一例であるであるサブシステムコード情報：「SSコード」データと、前記特性特定情報すなわち「メーカー型番」〜「ＣＴＩ」、「ヤング率」〜「密度」のデータと、火元部品であることを識別するための火元判別情報の一例としての「火元フラグ」データと、火元部品からの距離を特定する火元距離情報の一例としての「火元からの距離」データと、部品の体積を特定する体積情報の一例としての「体積」データと、部品の重量を特定する重量情報の一例としての「重量」データと、環境負荷計算用入力値の一例としての部品価格情報の一例としての「コスト」データと、環境負荷値の一例としての「環境負荷ＣＯ２排出量」データと、その他の項目情報を有する。
【００２２】
図５は実施例１の閲覧用の認証画像の説明図である。
認証手段Ｃ１２は、閲覧用認証画像送信要求受信手段Ｃ１２Ａと、閲覧用認証画像送信手段Ｃ１２Ｂと、認証情報受信手段Ｃ１２Ｃと、認証情報照会手段Ｃ１２Ｄとを有し、物品構成情報の閲覧や取得、更新等を行う利用者の認証を行う。
閲覧用認証画像送信要求受信手段Ｃ１２Ａは、図５に示す物品構成情報の閲覧を行う際の認証用の画像２１の送信要求を受信する。
閲覧用認証画像送信手段Ｃ１２Ｂは、閲覧用認証画像の送信要求に応じて、図５に示す閲覧用認証画像２１を送信する。図５において、閲覧用認証画像２１は、ユーザＩＤが入力されるユーザＩＤ入力欄２１ａと、パスワードが入力されるパスワード入力欄２１ｂと、認証情報を送信して認証を行う認証開始釦の一例としての「ログイン」アイコン２１ｃとを有する。
認証情報受信手段Ｃ１２Ｃは、利用者の認証を行うために端末３，４から送信された認証情報を受信する。
認証情報照会手段Ｃ１２Ｄは、全ての利用者の認証情報を記憶し、記憶された認証情報と、受信した認証情報との照会を行う。
【００２３】
図６は実施例１の閲覧物品選択画像の説明図である。
図７は図６に示す閲覧物品選択画像において、機種名やＳｕｂ名が選択された状態の説明図である。
閲覧物品選択画像送信要求受信手段Ｃ１３は、物品構成情報を閲覧する物品を選択するための閲覧物品選択画像２２の送信要求が端末３，４から送信された場合に、閲覧物品選択画像２２の送信要求を受信する。
閲覧物品選択画像送信手段Ｃ１４は、閲覧物品選択画像の送信要求に応じて、閲覧物品選択画像２２を送信する。図６，図７において、実施例１の閲覧物品選択画像２２は、認証された利用者名が表示される利用者名表示欄２２ａと、物品構成情報を取得するための情報取得物品選択画像の表示を行うための情報取得切換えボタンの一例としての「ＦＴダウンロード」アイコン２２ｂと、操作方法を表示するための「ヘルプ」釦２２ｃと、認証された状態を終了する認証終了釦の一例としての「ログアウト」アイコン２２ｄと、物品構成情報を閲覧したい物品を選択するための閲覧物品選択欄の一例としての「機種名」欄２２ｅと、物品構成情報を閲覧したい物品の構成部位を選択するための閲覧構成部位選択欄の一例としての「Ｓｕｂ名」欄２２ｆと、物品構成情報の閲覧を実行するための閲覧実行釦の一例としての「ＦＴ表示」アイコン２２ｇとを有する。図７において、実施例１の閲覧物品選択画像２２では、各選択欄２２ｅ，２２ｆは、入力に応じて選択可能な項目の一覧が垂れ下がるように表示される、いわゆる、プルダウンメニューにより構成されており、物品情報サーバ６から物品構成情報を送信可能な物品名や部位名が選択可能に構成されている。
【００２４】
図８は実施例１の閲覧物品選択画像において、物品構成情報が表示された状態の説明図である。
閲覧用物品構成情報送信要求受信手段Ｃ１５は、前記閲覧物品選択画像２２が送信された端末３，４での入力に応じて、端末３，４から送信される閲覧用の物品構成情報の送信要求を受信する。実施例１では、端末３，４で閲覧される物品である前記「機種名」と物品の構成部位である前記「Ｓｕｂ名」とを含む閲覧用物品構成情報送信要求を受信する。
閲覧用物品構成情報送信手段Ｃ１６は、閲覧用物品構成情報の送信要求に応じた閲覧用物品構成情報を送信する。実施例１の閲覧用物品構成情報送信手段Ｃ１６は、送信要求に応じた物品と物品の構成部位に応じて、物品構成情報記憶手段Ｃ１１に記憶された物品構成情報を読み出し、前記物品情報を、図８に示すような閲覧するための物品構成情報閲覧画像２２ｈとして送信する。
【００２５】
図９は実施例１の情報取得物品選択画像の説明図である。
情報取得物品選択画像送信要求受信手段Ｃ１７は、端末３，４から送信された送信要求であって、物品構成情報を取得する物品を選択するための図９に示す情報取得物品選択画像２３の送信要求を受信する。
情報取得物品選択画像送信手段Ｃ１８は、受信した情報取得物品選択画像の送信要求に応じて、情報取得物品選択画像２３を端末３，４に送信する。図９において、実施例１の情報取得物品選択画像２３は、認証された利用者名が表示される利用者名表示欄２３ａと、物品構成情報を選択・閲覧するための閲覧物品選択画像２２の表示を行うための情報閲覧切換え釦の一例としての「ＦＴ構成閲覧」アイコン２３ｂと、操作方法を表示するための「ヘルプ」釦２３ｃと、認証された状態を終了する認証終了釦の一例としての「ログアウト」アイコン２３ｄと、物品構成情報を取得したい物品を選択するための取得物品選択欄の一例としての「機種名」欄２３ｅと、物品構成情報を取得したい物品の構成部位を選択するための取得構成部位選択欄の一例としての「Ｓｕｂ名」欄２３ｆと、物品構成情報の取得・更新が可能であるか否かを判別するための更新ステータスを表示するための更新ステータス表示釦の一例としての「更新ステータス表示」アイコン２３ｇと、更新ステータスが表示される更新ステータス表示欄２３ｈと、物品構成情報の取得を実行するための取得実行釦の一例としての「更新ダウンロード」アイコン２３ｊとを有する。実施例１の閲覧物品選択画像２２では、各選択欄２３ｅ，２３ｆは、前記選択欄２２ｅ、２２ｆと同様に、入力に応じて選択可能な項目の一覧が垂れ下がるように表示される、いわゆる、プルダウンメニューにより構成されており、物品情報サーバ６から物品構成情報を送信可能な物品名や部位名が選択可能に構成されている。
【００２６】
物品構成情報送信要求受信手段Ｃ１９は、前記情報取得物品選択画像２３が表示された端末３，４における取得実行釦２３ｊの入力に応じて送信される編集用の物品構成情報の送信要求、すなわち、ダウンロードの要求を受信する。
送信可能判別手段の一例としての更新ステータス判別手段Ｃ２０は、情報取得履歴情報記憶手段Ｃ２０Ａを有し、物品構成情報の送信要求を受信した場合に、該当する物品名および構成部位の情報取得履歴情報を確認して、物品構成情報を送信できるか否かを判別する。すなわち、複数の利用者によって同じ物品構成情報が相前後して更新されてしまい、物品構成情報が最新のものとならないことを防止する目的で、物品構成情報の更新者に制限をかける、いわゆるロックするために、物品構成情報の送信を許可するか否かを判別する。実施例１の更新ステータス判別手段Ｃ２０は、情報取得履歴情報記憶手段Ｃ２０Ａに登録されている利用者と物品構成情報の送信要求や後述する更新ステータスの問合せをした利用者とが一致せず、且つ、取得日時から所定の期間が経過していない場合に、物品構成情報を利用者に送信できない、すなわち、利用者による物品構成情報の編集・更新を許可しないと判別する。したがって、利用者が一致する場合は編集・更新が許可され、利用者が異なっていても所定の期間が経過している場合には、前の利用者が更新を忘れているものとみなしてロックを解除し更新可能とする。なお、前記所定の期間は、例えば、「２４時間」に設定することが可能である。
【００２７】
情報取得履歴情報記憶手段Ｃ２０Ａは、物品構成情報を取得した履歴に関する情報取得履歴情報を記憶する。実施例１の情報取得履歴情報記憶手段Ｃ２０Ａには、物品と、物品の構成部位と、物品の構成部位に関して最後に物品構成情報を取得した利用者と、取得日時とを含む情報取得履歴情報、いわゆる、更新ステータスを記憶する。
物品構成情報送信手段Ｃ２１は、情報取得履歴登録手段Ｃ２１Ａを有し、送信要求がされた物品構成情報の送信が可能である場合に、物品構成情報を送信要求がされた端末３，４に送信する。
【００２８】
情報取得履歴登録手段Ｃ２１Ａは、物品構成情報を送信した場合に、物品構成情報を送信した端末３，４の利用者の情報、送信日時、物品、構成部位の情報を、情報取得履歴情報として情報取得履歴情報記憶手段Ｃ２０Ａに登録する。なお、既に登録されている場合は更新する。
更新ステータス問合せ受信手段Ｃ２２は、前記情報取得物品選択画像２３が表示された端末３，４において、図９に示す更新ステータス表示釦２３ｇが選択された場合に端末３，４から送信される更新ステータス問合せ情報を受信する。なお、実施例１の前記更新ステータス問合せ情報には、問合せを行った利用者の情報や、問合せがされた物品及びその構成部位の情報が含まれる。
【００２９】
図１０は更新ステータスの説明図であり、図１０Ａは図９の情報取得物品選択画像において更新が可能である旨の更新ステータスが表示された状態の説明図、図１０Ｂは更新ができない場合の更新ステータスの一例の説明図である。
更新ステータス送信手段Ｃ２３は、受信した更新ステータス問合せ情報に対応する更新ステータスを送信する。実施例１の更新ステータス送信手段Ｃ２３は、受信した更新ステータス問合せ情報に基づいて、更新ステータス判別手段Ｃ２０で判別を行い、判別結果を更新ステータスとして送信する。図１０Ａに示すように、端末３，４の利用者が物品構成情報の取得、編集、更新が可能である場合には、更新できる旨の情報が送信される。一方、他の利用者が物品構成情報の取得をしている場合には、現在更新している利用者名や取得時間等を含む情報が送信され、図１０Ｂに示すように取得、編集、更新ができない旨の表示が送信される。
【００３０】
更新登録情報受信手段Ｃ２４は、構成情報編集端末３から送信される更新された物品構成情報を受信する物品構成情報受信手段Ｃ２４Ａと、製図端末４から送信される更新された製図データを受信する製図情報受信手段Ｃ２４Ｂと、部品情報サーバ７から送信される更新された部品特性情報を受信する部品特性情報受信手段Ｃ２４Ｃとを有し、更新された各種情報を受信する。
情報反映手段Ｃ２５は、体積情報反映手段Ｃ２５Ａと、重量情報反映手段Ｃ２５Ｂと、火元距離情報反映手段Ｃ２５Ｃと、環境負荷情報反映手段Ｃ２５Ｄと、部品特定情報反映手段Ｃ２５Ｅと、を有し、更新登録情報受信手段Ｃ２４で受信した各種情報を、物品構成情報記憶手段Ｃ１１の物品構成情報に反映する。すなわち、新規登録したり、既存情報を更新する。
【００３１】
体積情報反映手段Ｃ２５Ａは、製図端末４から送信された情報に体積情報が含まれているか否かを判別して、体積情報が含まれている場合には、物品構成情報記憶手段Ｃ１１に記憶された物品構成情報の体積情報に反映する。
重量情報反映手段Ｃ２５Ｂは、製図端末４から送信された情報に重量情報が含まれているか否かを判別して、重量情報が含まれている場合には、物品構成情報記憶手段Ｃ１１に記憶された物品構成情報の重量情報に反映する。
火元距離情報反映手段Ｃ２５Ｃは、製図端末４から送信された情報に火元距離情報が含まれているか否かを判別して、火元距離情報が含まれている場合には、物品構成情報記憶手段Ｃ１１に記憶された物品構成情報の火元距離情報に反映する。
【００３２】
環境負荷情報反映手段Ｃ２５Ｄは、構成情報編集端末３から送信された情報に環境負荷情報が含まれているか否かを判別して、環境負荷情報が含まれている場合には、物品構成情報記憶手段Ｃ１１に記憶された物品構成情報の環境負荷情報に反映する。
部品特性情報反映手段Ｃ２５Ｅは、構成情報編集端末３から送信された情報に部品特性情報が含まれているか否かを判別して、部品特性情報が含まれている場合には、受信した部品特性情報を、物品構成情報記憶手段Ｃ１１に記憶された物品構成情報の部品特性情報、すなわち、部番や特性特定情報に反映する。また、実施例１の部品特性情報反映手段Ｃ２５Ｅは、部品情報サーバ７から送信された部品特性情報を受信した場合には、物品構成情報の部品特性情報に反映する。すなわち、部品識別情報を検索し、部品識別情報に対応する特性特定情報を更新する。
【００３３】
（構成情報編集端末３の制御部の説明）
図１１は実施例１の構成情報編集端末の制御部分が備えている各機能をブロック図（機能ブロック図）で示した図である。
図１１において、構成情報編集端末３のコンピュータ本体Ｈ１は、外部との信号の入出力および入出力信号レベルの調節等を行うＩ／Ｏ：入出力インターフェース、必要な処理を行うためのプログラムおよびデータ等が記憶されたＲＯＭ：リードオンリーメモリ、必要なデータを一時的に記憶するためのＲＡＭ：ランダムアクセスメモリ、ハードディスクやＲＯＭ等に記憶されたプログラムに応じた処理を行うＣＰＵ：中央演算処理装置、ならびにクロック発振器等を有している。
前記構成の構成情報編集端末３は、前記ハードディスクやＲＯＭ等に記憶されたプログラムを実行することにより種々の機能を実現することができる。
【００３４】
前記構成情報編集端末３の前記ハードディスクドライブには、構成情報編集端末３の基本動作を制御する基本ソフト、いわゆる、オペレーティングシステムＯＳや、文書作成ソフトウェアや作図ソフトウェア等のアプリケーションプログラムＡＰ、物品構成情報閲覧プログラムＰ３、物品構成情報編集プログラムＰ４が記憶されている。以下、従来公知のオペレーティングシステムＯＳやアプリケーションプログラムＡＰを除くプログラムＰ３，Ｐ４の各機能、すなわち制御手段を説明する。
【００３５】
前記物品構成情報閲覧プログラムＰ３は、下記の各手段Ｃ３１〜Ｃ４４を有し、ネットワークＮに接続された物品情報サーバ６との間で情報の送受信をして、物品を構成する部品に関する物品構成情報を閲覧する。なお、実施例１の物品構成情報閲覧プログラムＰ３として、例えば、従来公知のウェブブラウザソフトウェアを使用可能である。
認証手段Ｃ３１は、閲覧用認証画像送信要求手段Ｃ３１Ａと、認証画像表示手段Ｃ３１Ｂと、認証情報送信手段Ｃ３１Ｃとを有し、物品構成情報を閲覧したり、取得しようとする利用者の認証を行う。
【００３６】
閲覧用認証画像送信要求手段Ｃ３１Ａは、物品構成情報の送信や取得をする利用者の認証を行うために、図５に示す認証情報を入力する前記閲覧用認証画像２１の送信を要求する閲覧用認証画像送信要求を物品情報サーバ６に送信する。
前記認証画像表示手段Ｃ３１Ｂは、閲覧用認証画像送信要求に応じて物品情報サーバ６から送信された閲覧用認証画像２１をディスプレイＨ２に表示する。
前記認証情報送信手段Ｃ３１Ｃは、閲覧用認証画像２１において認証開始釦２１ｃの入力がされた場合に、各入力欄２１ａ、２１ｂに入力された認証のための認証情報を物品情報サーバ６に送信する。
閲覧物品選択画像受信手段Ｃ３２は、前記物品情報サーバ６から送信された閲覧物品選択画像２２の情報を受信する。
【００３７】
閲覧物品選択画像表示手段Ｃ３３は、前記閲覧物品選択画像受信手段Ｃ３２が受信した閲覧物品選択画像２２をディスプレイＨ２に表示する。
閲覧用物品構成情報送信要求手段Ｃ３４は、図４，図５に示す前記閲覧物品選択画像２２の閲覧実行釦２２ｇの入力に応じて、物品情報サーバ６に閲覧するための物品構成情報の送信を要求する。実施例１の閲覧用物品構成情報送信要求手段Ｃ３４は、前記閲覧実行釦２２ｇの入力に応じて、各入力欄２２ｅ，２２ｆで選択された物品の情報と構成部位の情報と認証された利用者の識別情報とを含む閲覧用物品構成情報送信要求情報を送信する。
閲覧用物品構成情報受信手段Ｃ３５は、閲覧用物品構成情報の送信要求に応じて、物品情報サーバ６から送信される物品構成情報を受信する。
【００３８】
物品構成情報表示手段の一例としての閲覧用物品構成情報表示手段Ｃ３６は、火元距離基準値記憶手段Ｃ３６Ａと、火元距離判別手段Ｃ３６Ｂと、難燃情報基準値記憶手段Ｃ３６Ｃと、難燃情報判別手段Ｃ３６Ｄと、を有し、受信した物品構成情報に基づいて、閲覧用物品構成画像２２ｈを作成し、ディスプレイＨ２に表示する。なお、実施例１の閲覧用物品構成情報表示手段Ｃ３６は、閲覧用物品構成画像２２ｈを表示する際に、各部品について、火元距離Ｌｆが火元距離基準値Ｌ１以下であり且つ難燃グレードが所定のグレード以下の場合には、安全基準を満足しない部品であることを利用者に告知するために強調表示を行う。
火元距離基準値記憶手段Ｃ３６Ａは、閲覧用物品構成情報２２ｈを表示する際に、火元距離Ｌｆに関する告知を行うための基準となる火元距離基準値Ｌ１を記憶する。実施例１の火元距離基準値記憶手段Ｃ３６Ａは、火元距離基準値Ｌ１としてＬ１＝１３ｍｍを記憶する。
火元距離判別手段Ｃ３６Ｂは、受信した物品構成情報に含まれる火元距離Ｌｆの情報と、前記火元距離基準値Ｌ１とに基づいて、各火元距離Ｌｆが前記火元距離基準値Ｌ１以下であるか否かを判別する。
【００３９】
難燃情報基準値記憶手段Ｃ３６Ｃは、閲覧用物品構成情報２２ｈを表示する際に、難燃情報の一例としての難燃グレードに関する告知を行うための基準となる難燃情報基準値Ｌ２を記憶する。実施例１の難燃情報基準値記憶手段Ｃ３６Ｃは、難燃情報基準値Ｌ２としてＬ２＝「ＨＢ」を記憶する。
難燃情報判別手段Ｃ３６Ｄは、受信した物品構成情報に含まれる難燃情報と、前記難燃情報基準値Ｌ２とに基づいて、火元距離が前記火元距離基準値以下の部品について、難燃情報が難燃情報基準値Ｌ２以下であるか否かを判別する。したがって、実施例１では、火元距離が１３ｍｍ以下且つ難燃グレードがＨＢ以下の場合に、該当部品が安全基準に適合していないことを警告するための強調表示がされる。
情報取得物品選択画像送信要求手段Ｃ３７は、前記閲覧物品選択画像２２における情報取得切換え釦の一例としての「ＦＴダウンロード」アイコン２２ｂの入力の入力に応じて、物品情報サーバ６に情報取得物品選択画像２３の送信を要求する。
【００４０】
情報取得物品選択画像受信手段Ｃ３８は、情報取得物品選択画像送信要求手段Ｃ３７による情報取得物品選択画像２３の送信要求に応じて送信される情報取得物品選択画像２３を受信する。
情報取得物品選択画像表示手段Ｃ３９は、受信した情報取得物品選択画像２３をディスプレイＨ２に表示する。
更新ステータス問合せ手段Ｃ４０は、情報取得物品選択画像２３の更新ステータス表示釦の一例としての「更新ステータス表示」アイコン２３ｇの入力に応じて、更新ステータス問合せ情報を物品情報サーバ６に送信する。実施例１の更新ステータス問合せ手段Ｃ４０は、更新ステータス問合せ情報として、物品および構成部位の情報と、利用者の識別情報とを含む更新ステータス問合せ情報を送信する。
【００４１】
更新ステータス情報受信手段Ｃ４１は、更新ステータスの問合せに応じて、物品情報サーバ６から送信される更新ステータス情報を受信する。なお、受信した更新ステータスは、前記情報取得物品選択画像表示手段Ｃ３９により更新ステータス表示欄２３ｈに表示される。
物品構成情報送信要求手段Ｃ４２は、情報取得物品選択画像２３の取得実行釦の一例としての「更新ダウンロード」アイコン２３ｊへの入力に応じて、物品情報サーバ６に、編集用の物品構成情報の送信を要求する。
物品構成情報受信手段Ｃ４３は、物品構成情報の送信要求に応じて物品情報サーバ６から送信される物品構成情報を受信する。
閲覧物品選択画像送信要求手段Ｃ４４は、情報取得物品選択画像２３の情報閲覧切換え釦の一例としての「ＦＴ構成閲覧」アイコン２３ｂへの入力に応じて、物品情報サーバ６に閲覧物品選択画像２２の送信を要求する。
【００４２】
前記物品構成情報編集プログラムＰ４は、下記の各手段Ｃ５１〜Ｃ５８を有し、ネットワークＮに接続された物品情報サーバ６や部品情報サーバ７との間で情報の送受信をして、物品を構成する部品に関する物品構成情報の編集や更新を行う。なお、実施例１の物品構成情報編集プログラムＰ４として、例えば、従来公知の表計算ソフトウェアおよび表計算ソフトウェアに組み込まれた特定の操作手順を実行するプログラム、いわゆる、「マクロ」を使用可能である。なお、前記マクロは、物品情報サーバ６から送信された編集用の物品構成情報に含まれている。
認証手段Ｃ５１は、認証画像表示手段Ｃ５１Ａと、認証情報送信手段Ｃ５１Ｂとを有し、物品構成情報を編集しようとする利用者の認証を行う。
【００４３】
図１２は、実施例１の物品構成情報編集プログラムでの認証画像の説明図である。
認証画像表示手段Ｃ５１Ａは、編集用の物品構成情報の編集が開始される際に、図１２に示す利用者を認証するための認証画像２６をディスプレイＨ２に表示する。図１２において、認証画像２６は、利用者の識別情報の一例としてのユーザＩＤを入力するための利用者識別情報入力欄の一例としての「ユーザＩＤ」欄２６ａと、暗証番号いわゆるパスワードを入力するための暗証番号入力欄の一例としての「パスワード」２６ｂと、認証を実行するための認証実行釦の一例としての「ログイン」ボタン２６ｃと、認証を取り消すための認証取り消し釦の一例としての「キャンセル」ボタン２６ｄと、操作方法の案内を行うための案内表示欄２６ｅとを有する。
認証情報送信手段Ｃ５１Ｂは、前記認証実行釦２６ｃの入力に応じて、認証情報を物品情報サーバ６に送信する。実施例１の認証情報送信手段Ｃ５１Ｂは、各入力欄２６ａ，２６ｂに入力された情報を含む認証情報を物品情報サーバ６に送信する。
【００４４】
図１３は実施例１の編集物品選択画像の説明図である。
図１４は図１３に示す編集物品選択画像において、更新ステータスが表示された状態の説明図である。
編集物品選択画像表示手段Ｃ５２は、編集を行う利用者の認証がされた場合に、図１３、図１４に示すように編集する物品や構成部位の選択や、更新ステータスの確認を行う編集物品選択画像２７を表示する。図１３，図１４において、実施例１の編集物品選択画像２７は、物品構成情報を取得したい物品を選択するための取得物品選択欄の一例としての「機種名」欄２７ａと、物品構成情報を取得したい物品の構成部位を選択するための取得構成部位選択欄の一例としての「Ｓｕｂ名」欄２７ｂと、物品構成情報の取得・更新が可能であるか否かを判別するための更新ステータスを表示するための更新ステータス表示釦の一例としての「ステータス」ボタン２７ｃと、編集用の物品構成情報の更新を実行するための更新実行釦の一例としての「更新」ボタン２７ｄと、物品構成情報の編集を終了する終了釦２７ｅと、操作方法や更新ステータスが表示されるメッセージ表示欄２７ｆとを有する。実施例１の編集物品選択画像２７では、各選択欄２７ａ，２７ｂは、前記選択欄２２ｅ、２２ｆ等と同様に、入力に応じて選択可能な項目の一覧が垂れ下がるように表示される、いわゆる、プルダウンメニューにより構成されており、物品構成情報に記憶されている物品名や部位名が選択可能に構成されている。
【００４５】
更新ステータス問合せ手段Ｃ５３は、前記更新ステータス表示釦２７ｃへの入力に応じて、物品情報サーバ６に更新ステータスの問合せ情報を送信する。実施例１の更新ステータス問合せ手段Ｃ５３は、更新ステータス問合せ情報として、各選択欄２７ａ、２７ｂで選択された物品名および構成部位の情報と、認証された利用者の識別情報とを含む更新ステータス問合せ情報として送信する。
更新ステータス情報受信手段Ｃ５４ｈは、更新ステータス問合せ情報に対して物品情報サーバ６から送信された更新ステータス情報を受信する。なお、受信した更新ステータス情報は、編集物品選択画像表示手段Ｃ５２によりメッセージ表示欄２７ｆに表示される。例えば、更新可能な場合は、「更新可能です」のメッセージが表示され、更新不可能な場合は、図１４に示すように、更新が不可能な旨のメッセージが表示される。
【００４６】
物品構成情報送信要求手段Ｃ５５は、前記更新実行釦２７ｄへの入力に応じて、物品情報サーバ６に、最新の編集用の物品構成情報の送信を要求する。実施例１の物品構成情報送信要求手段Ｃ５５は、各選択欄２７ａ，２７ｂで選択された物品名および構成部位の情報と、認証された利用者の識別情報と含む物品構成情報送信要求情報を送信する。
物品構成情報受信手段Ｃ５６は、前記物品構成情報送信要求情報に応じて、物品情報サーバ６から送信される最新の物品構成情報を受信する。
【００４７】
図１５は実施例１の編集用物品構成情報画像の説明図である。
物品構成情報表示手段の一例としての編集用物品構成情報表示手段Ｃ５７は、選択された物品名および構成部位に対する編集用の物品構成情報をディスプレイＨ２に表示する。図１５において、実施例１の編集用物品構成情報表示手段Ｃ５７では、編集用の物品構成情報を表示する物品構成情報表示画面の一例としての編集用物品構成情報画像２８は、物品名の一例としての機種名を表示する物品名表示欄２８ａと、物品構成情報を物品情報サーバ６に登録することで物品構成情報の更新を行うための情報更新釦の一例としての「データ登録」ボタン２８ｂと、物品構成情報の編集を終了するための編集終了釦の一例としての「終了」ボタン２８ｃと、注意事項が表示される注意事項表示欄２８ｄと、物品の構成部位を表示する構成部位表示欄２８ｅと、階層特定情報や、部品名特定情報、部品識別情報、数量特定情報等の各物品構成情報を表示する物品構成情報表示欄２８ｆと、表示位置を変更する表示位置変更釦いわゆるスクロールボタン２８ｇ，２８ｈとを有する。
【００４８】
なお、実施例１の物品構成情報表示欄２８ｆは、構成部品特定情報の一例としての部品名が表示される部品名表示欄２８ｆ１と、部品識別情報の一例としての部番が表示される部品識別情報表示欄２８ｆ２と、特性特定情報が表示される特性特定情報表示欄２８ｆ３と、材料識別情報の一例としての材料番号が表示される材料識別情報表示欄２８ｆ４と、改訂回数情報の一例としてのＲｅｖデータが表示される改訂回数情報表示欄２８ｆ５を含む。
また、図１５において、表示位置変更釦２８ｇ，２８ｈの入力をして表示位置を変更することで、「メーカー名」欄や、図４に示す体積情報、重量情報と、部品価格情報、環境負荷値等の項目情報等のその他の特性特定情報が表示された特性特定情報表示欄２８ｆ３を表示することができる。そして、前記編集用物品構成情報画像２８の物品構成情報表示欄２８ｆへ入力することにより、物品構成情報の編集を行うことができる。
【００４９】
物品構成情報編集手段Ｃ５８は、構成情報入力判別手段Ｃ５８Ａと、環境負荷計算用入力値入力判別手段Ｃ５８Ｂと、編集情報一時記憶手段Ｃ５８Ｃと、物品構成情報更新登録手段Ｃ５８Ｄと、を有し、編集用物品構成情報画像２８の物品構成情報表示欄２８ｆへの入力に応じて物品構成情報の編集を行う。
構成情報入力判別手段Ｃ５８Ａは、部品識別情報問合せ手段Ｃ５８Ａ１と、部品問合せ応答受信手段Ｃ５８Ａ２と、部品特性情報反映手段Ｃ５８Ａ３と、材料識別情報問合せ手段Ｃ５８Ａ４と、材料識別情報応答受信手段Ｃ５８Ａ５と、特性情報反映手段の一例としての材料特性情報反映手段Ｃ５８Ａ６と、編集不許可設定手段Ｃ５８Ａ７と、編集不許可入力判別手段Ｃ５８Ａ８と、Ｒｅｖ問合せ手段Ｃ５８Ａ９と、Ｒｅｖ問合せ応答情報受信手段Ｃ５８Ａ１０と、改訂回数判別手段の一例としてのＲｅｖ判別手段Ｃ５８Ａ１１と、を有する。そして、部品識別情報入力判別手段Ｃ５８Ａは、前記編集用物品構成情報画像２８において、部品識別情報の一例としての「部番」や材料識別情報の一例としての「材料番号」、改訂回数の一例としての「Ｒｅｖ」や、その他の欄への入力がされたか否かを判別し、入力された内容を編集用物品構成情報画像２８に反映する。
【００５０】
部品識別情報問合せ手段Ｃ５８Ａ１は、編集用物品構成情報画像２８で部品識別情報の入力がされた場合に、部品情報サーバ７に部品識別情報の問合せ、すなわち、部品識別情報に対応する特性特定情報の送信要求を行う。
部品問合せ応答受信手段Ｃ５８Ａ２は、部品識別情報の問合せに応じて部品情報サーバ７から送信される特性特定情報を受信、取得する。
部品特性情報反映手段Ｃ５８Ａ３は、編集用物品構成情報画像２８の部品識別情報の入力がされた各欄に、部品情報サーバ７から送信された部品識別情報に対応する特性特定情報を反映する。
【００５１】
材料識別情報問合せ手段Ｃ５８Ａ４は、編集用物品構成情報画像２８で材料識別情報の入力がされた場合に、部品情報サーバ７に材料識別情報の問合せ、すなわち、材料識別情報に対応する材料特性情報の送信要求を行う。
材料識別情報応答受信手段Ｃ５８Ａ５は、材料識別情報の問合せに応じて、部品情報サーバ７から送信される材料特性情報を受信、取得する。
材料特性情報反映手段Ｃ５８Ａ６は、編集用物品構成情報画像２８の材料識別情報の入力がされた各欄に、部品情報サーバ７から送信された材料識別情報に対応する材料特性情報を反映する。
【００５２】
図１６は実施例１の編集物品構成情報画像に各種情報の入力がされた場合に表示される画像の説明図であり、図１６Ａは編集不可項目に対して修正を行おうとした場合に表示される画像の説明図、図１６Ｂは古いＲｅｖを登録しようとした場合に表示されるエラー画像の説明図、図１６Ｃは物品構成情報の更新を行おうとした場合にエラーが検出された場合に表示される更新時エラー画像の説明図、図１６Ｄは物品構成情報の更新を行おうとした場合に確認をするための反映確認画像である。
編集不許可設定手段Ｃ５８Ａ７は、材料識別情報に応じて部品情報サーバ７から送信された材料特性情報に対して、修正や削除等の編集を不許可に設定する。
編集不許可入力判別手段Ｃ５８Ａ８は、編集用物品構成情報画像２８で材料特性情報への入力がされた場合に、入力がされた項目が編集不許可に設定された項目であるか否かを判別する。実施例１の編集不許可入力判別手段Ｃ５８Ａ８は、編集不許可の項目の修正を使用しようとした場合には、図１６Ａに示す編集不許可告知画像２９ａを表示する。前記編集不許可告知画像２９ａには、編集が不許可であることを確認したことを入力するための編集不許可確認釦２９ａ１が設けられている。
【００５３】
Ｒｅｖ問合せ手段Ｃ５８Ａ９は、編集用物品構成情報画像２８でＲｅｖデータの入力がされた場合に、部品情報サーバ７にＲｅｖデータの問合せ、すなわち、最新のＲｅｖデータの送信要求を行う。
Ｒｅｖ問合せ応答情報受信手段Ｃ５８Ａ１０は、Ｒｅｖデータの問合せに応じて、部品情報サーバ７から送信される材料特性情報を受信、取得する。
Ｒｅｖ判別手段Ｃ５８Ａ１１は、部品情報サーバ７から送信されたＲｅｖデータと、入力されたＲｅｖデータとに基づいて、入力されたＲｅｖデータが送信されたＲｅｖデータよりも新しいか否かを判別する。すなわち、古いＲｅｖデータが入力されていないか否かを判別する。実施例１のＲｅｖ判別手段Ｃ５８Ａ９は、告知手段の機能も有しており、古いＲｅｖデータが入力された場合には、図１６Ｂに示す最新の改訂回数が登録されていることを告知する最新改訂回数既登録告知画像２９ｂを表示する。前記最新改訂回数既登録告知画像２９ｂには、最新の改訂回数が登録されていることを確認したことを入力するための最新改訂回数既登録確認釦２９ｂ１が設けられている。
【００５４】
環境負荷計算用入力値入力判別手段Ｃ５８Ｂは、環境負荷係数有無判別手段Ｃ５８Ｂ１と、環境負荷演算手段Ｃ５８Ｂ２と、環境負荷情報登録手段Ｃ５８Ｂ３とを有し、前記編集用物品構成情報画像２８において、環境負荷計算用入力値である部品価格情報の一例としての「コスト」欄の値入力がされたか否かを判別し、環境負荷計算用入力値と環境負荷係数とに基づいて、環境負荷値の一例としての「環境負荷ＣＯ２排出量」欄の値を自動計算して、物品構成情報および編集用物品構成情報画像２８に反映する。
環境負荷係数有無判別手段Ｃ５８Ｂ１は、環境負荷計算用入力値の一例としての「コスト」の入力がされた場合に、該当する部品に、環境負荷計算用入力値から環境負荷値を演算するための環境負荷係数が登録されているか否かを判別する。
環境負荷演算手段Ｃ５８Ｂ２は、環境負荷計算用入力値と、環境負荷係数とに基づいて、環境負荷値を演算する。
環境負荷情報登録手段Ｃ５８Ｂ３は、計算された環境負荷値を物品構成情報に登録する。
【００５５】
編集情報一時記憶手段Ｃ５８Ｃは、前記編集用物品構成情報画像２８において入力された部品識別情報や材料識別情報、特性特定情報等の各入力値を一時記憶する。
物品構成情報更新登録手段Ｃ５８Ｄは、エラー判別手段Ｃ５８Ｄ１と、特性特定情報編集判別手段の一例としての更新差分判別手段Ｃ５８Ｄ２と、反映確認画面表示手段Ｃ５８Ｄ３と、物品構成情報送信手段Ｃ５８Ｄ４と、部品特性情報送信手段Ｃ５８Ｄ５と、を有し、前記編集用物品構成情報画像２８において情報更新釦２８ｂの入力がされた場合に、編集された物品構成情報を物品情報サーバ６に送信して物品構成情報の更新、登録を行う。また、実施例１の物品構成情報更新登録手段Ｃ５８Ｄは、部品識別情報または特性特定情報の編集があった場合に、部品識別情報と、関連づけられた特性特定情報とを含む部品特性情報を部品情報サーバ７に送信して部品識別情報および特性特定情報の更新、登録を行う。
【００５６】
エラー判別手段Ｃ５８Ｄ１は、物品情報サーバ６に送信する編集された物品構成情報に編集の過程で適切でない情報が入力されたか否か、すなわち、エラーが含まれていないか否かを判別し、エラーがあった場合には、図１６Ｃに示す更新時エラー画像２９ｃをディスプレイに表示する。図１６Ｃにおいて、実施例１の更新時エラー画像２９ｃは、エラー内容表示欄２９ｃ１と、エラーがあることを確認したことを入力するためのエラー確認釦の一例としての「閉じる」ボタン２９ｃ２とを有し、例えば、数値しか入力できない欄に英文字を使用したり、桁数の制限を超える英数値を入力してた場合等に、更新時エラー画像２９ｃを表示する。
【００５７】
更新差分判別手段Ｃ５８Ｄ２は、編集情報一時記憶手段Ｃ５８Ｃに記憶された情報と、物品構成情報受信手段Ｃ５６で受信して記憶されている物品構成情報と、を比較して、更新された項目があり、入力値の差分があるか否かを判別する。
反映確認画面表示手段Ｃ５８Ｄ３は、更新差分判別手段Ｃ５８Ｄ２により編集がされたと判別された場合に、編集後の特性特定情報を、前記部品情報サーバ７の部品特性情報データベースに反映するか否かの確認をするための反映確認画面２９ｄを表示する。前記反映確認画像２９ｄは、確認をしたことを入力するための反映確認釦２９ｄ１と、更新を取り消す入力を行うための反映取り消し釦２９ｄ２とを有する。
物品構成情報送信手段Ｃ５８Ｄ４は、エラーがなく、更新することの確認をした編集後の物品構成情報を物品情報サーバ６に送信する。
部品特性情報送信手段Ｃ５８Ｄ５は、前記反映確認画面２９ｄで反映するとの入力がされた場合に、部品情報サーバ７に更新された部品特性情報を送信する。
【００５８】
（製図端末４制御部の説明）
図１７は実施例１の製図端末の制御部分が備えている各機能をブロック図（機能ブロック図）で示した図である。
図１７において、製図端末４のコンピュータ本体Ｈ１は、外部との信号の入出力および入出力信号レベルの調節等を行うＩ／Ｏ：入出力インターフェース、必要な処理を行うためのプログラムおよびデータ等が記憶されたＲＯＭ：リードオンリーメモリ、必要なデータを一時的に記憶するためのＲＡＭ：ランダムアクセスメモリ、ハードディスクやＲＯＭ等に記憶されたプログラムに応じた処理を行うＣＰＵ：中央演算処理装置、ならびにクロック発振器等を有している。
前記構成の製図端末４は、前記ハードディスクやＲＯＭ等に記憶されたプログラムを実行することにより種々の機能を実現することができる。
【００５９】
前記製図端末４の前記ハードディスクドライブには、製図端末４の基本動作を制御する基本ソフト、いわゆるオペレーティングシステムＯＳや、文書作成ソフトウェアや作図ソフトウェア等のアプリケーションプログラムＡＰ、製図プログラムＰ５、その他のアプリケーションプログラムが記憶されている。以下、従来公知のオペレーティングシステムＯＳやアプリケーションプログラムＡＰを除く製図プログラムＰ５の各機能すなわち制御手段を説明する。
【００６０】
前記製図プログラムＰ５は、下記の各手段Ｃ７１〜Ｃ８１を有し、ネットワークＮに接続された物品情報サーバ６との間で情報の送受信をして、各部品や集合体の設計図面の製図を行う。なお、実施例１の製図プログラムＰ５として、例えば、３次元ＣＡＤ：Computer  Aided  Designソフトウェアを使用可能である。
図１７において、実施例１の製図プログラムＰ５の各手段Ｃ７１〜Ｃ７６は、前記物品構成情報編集プログラムＰ４の各手段Ｃ５１〜Ｃ５６と比べ、物品構成情報に替えて製図情報が付加された物品構成情報を受信する以外は、図１２〜図１４に示したものと同様の画像２６，２７が表示され、同様の処理が実行されるため、説明は省略する。
【００６１】
図１８は実施例１の製図画像の一例の説明図である。
製図手段Ｃ７７は、図１３，図１４の画像２７と同様の画像である製図物品選択画像において選択された物品および構成部位に対応して送信された製図情報に基づいて、図１８に示す設計図面を製図するための製図画像３１をディスプレイＨ２に表示する。図１８において、実施例１の製図画像３１は、設計図面が表示される図面表示欄３１ａと、物品を選択するための物品選択欄の一例としての「機種名」欄３１ｂと、構成部位を選択するための構成部位選択欄の一例としての「Ｓｕｂ名」欄３１ｃと、部品を選択するための部品選択欄の一例としての「部品名」欄３１ｄと、製図を行う際に直線や曲線、四角、円等を作図するために使用されるパレット欄３１ｅと、図面表示欄３１ａに表示された部品の体積を自動的に測定するための体積自動測定釦３１ｆと、選択されている部品が集合体、いわゆるAssy体の場合に非火元部品である各構成部品の火元部品からの距離である火元距離を自動的に測定するための火元距離測定釦３１ｇと、図面表示欄３１ａに表示された部品について特定の物品構成情報を付加した印刷用の図面へ画像表示を切換えるための印刷用画像切換え釦の一例としての「印刷画像切換」ボタン３１ｈと、新規作成や修正等の編集した図面の情報を更新するための更新実行釦の一例としての「データ登録」ボタン３１ｊと、製図を終了するための製図終了釦３１ｋとを有する。
【００６２】
図１９は実施例１の体積測定結果画像の一例の説明図である。
体積計算手段Ｃ７８は、体積情報登録手段Ｃ７８Ａと、比重情報有無判別手段Ｃ７８Ｂと、重量計算手段Ｃ７８Ｃと、重量情報登録手段Ｃ７８Ｄと、を有し、製図画像３１の体積自動測定釦３１ｆの入力に応じて、図面表示欄３１ａに表示された部品の体積を自動的に測定、計算する。そして、体積の自動測定の結果を体積測定結果画像３２に表示し、計算された体積情報を製図情報が付加されている物品構成情報に反映する。図１９において、実施例１の体積測定結果画像３２は、体積の自動測定に成功した部品を一覧表示する体積測定成功部品一覧表示欄３２ａと、図面が未完成等で体積が測定できなかった部品を一覧表示する体積測定失敗部品一覧表示欄３２ｂとを有する。なお、表示された部品の体積を自動計算する技術は、従来公知のプログラムを使用可能である。
【００６３】
体積情報登録手段Ｃ７８Ａは、体積計算手段Ｃ７８により計算された体積情報を物品構成情報に登録する。
比重情報有無判別手段Ｃ７８Ｂは、体積が自動計算された部品について、物品構成情報に比重情報、すなわち体積計算用係数の情報が登録されているか否かを判別する。
重量計算手段Ｃ７８Ｃは、体積が自動計算された部品について比重情報がある場合に、計算された体積と比重情報とに基づいて、「部品の重量」＝「体積」×「比重」を自動的に計算し、計算された重量情報を物品構成情報に反映する。
重量情報登録手段Ｃ７８Ｄは、重量計算手段Ｃ７８Ｃにより計算された重量情報を物品構成情報に登録する。
【００６４】
図２０は実施例１の火元距離測定結果画像の一例の説明図である。
火元距離計算手段Ｃ７９は、火元部品判別手段Ｃ７９Ａと、火元距離情報登録手段Ｃ７９Ｂと、を有し、製図画像３１の火元距離測定釦３１ｇへの入力に応じて、選択されている部品やAssy体について、各部品の火元部品からの火元距離を自動計算する。そして、火元距離の自動測定の結果を、図２０に示す火元距離測定結果画像３３で表示し、計算された火元距離情報を物品構成情報に反映する。図２０において、実施例１の火元距離測定結果画像３３では、火元距離の計算に成功した部品を一覧表示する火元距離測定成功部品一覧表示欄３３ａと、火元部品が設定されていない場合や部品の図面が未完成等で火元距離が測定できなかった部品を一覧表示する火元距離測定失敗部品一覧表示欄３３ｂとを有する。なお、実施例１の火元距離計算手段Ｃ７９は、前記火元距離として、火元部品と対象部品との最短距離を演算する。
【００６５】
火元部品判別手段Ｃ７９Ａは、選択されている部品の前記物品構成情報の火元部品情報の一例である図４で示す「火元フラグ」に基づいて、火元部品が存在するか否か、すなわち、火元部品情報の登録があるか否かを判別する。
火元距離情報登録手段はＣ７９Ｂは、火元距離計算手段Ｃ７９で計算された火元距離情報を物品構成情報に登録する。
【００６６】
図２１は実施例１の情報付与図面画像の一例の説明図である。
情報付与図面表示手段Ｃ８０は、前記製図画像３１の印刷用画像切換え釦の一例としての「印刷画像切換」ボタン３１ｈの入力に応じて、予め設定された設計図面に必要な情報が付与された印刷される図面の画像である情報付与図面画像３４を図面表示欄３１ａに表示する。図２１において、実施例１の情報付与図面画像３４は、図面表示欄３１ａに表示されていた部品の印刷用の図面画像が表示される図面画像表示欄３４ａと、物品構成情報の部品名特定情報に基づいて部品名が自動入力される、すなわち転記される部品名表示欄３４ｂと、数量特定情報に基づいて部品の数量が自動入力される数量表示欄３４ｃと、サブシステムコード情報に基づいて部品のサブシステムコードが自動入力されるサブシステムコード表示欄３４ｄと、部品識別情報に基づいて部番が自動入力される部品識別情報表示欄３４ｅと、物品構成情報の材料名の登録情報に基づいて材料名が自動入力される材料名表示欄３４ｆと、物品構成情報のリサイクルコードの登録情報にリサイクルコードが自動入力されるリサイクルコード表示欄３４ｇと、難燃情報の一例としての難燃グレードの登録情報に基づいて難燃情報が自動入力される難燃情報表示欄３４ｈと、その他の注記情報を入力可能な注記情報入力表示欄３４ｊとを有する。したがって、情報付与図面画像３４で印刷コマンドを実行することで、表示された情報付与図面画像３４が印刷される。
【００６７】
製図情報更新登録手段Ｃ８１は、製図情報送信手段Ｃ８１Ａを有し、製図画像３１の更新実行釦の一例としての「データ登録」ボタン３１ｊの入力に応じて、編集された製図情報および物品構成情報を物品情報サーバ６に送信して製図情報および物品構成情報の更新、登録を行う。
製図情報送信手段Ｃ８１Ａは、製図情報および物品構成情報を物品情報サーバ６に送信する。
【００６８】
（実施例１のフローチャートの説明）
次に、実施例１の設計支援システムＳの構成情報編集端末３や製図端末４、物品情報サーバ６の処理の流れをフローチャートを使用して説明する。
【００６９】
（構成情報編集端末３のフローチャートの説明）
（物品構成情報閲覧処理のフローチャートの説明）
図２２は実施例１の構成情報編集端末での物品構成情報閲覧処理のフローチャートである。
図２３は実施例１の物品構成情報閲覧処理のフローチャートであり、図２２の続きのフローチャートである。
図２４は実施例１の物品構成情報閲覧処理のフローチャートであり、図２３の続きのフローチャートである。
図２２〜図２４のフローチャートの各ＳＴ：ステップの処理は、コンピュータ本体Ｈ１のハードディスク等に記憶された物品構成情報閲覧プログラムＰ３に従って行われる。また、この処理は構成情報編集端末３の他の各種処理と並行してマルチタスクで実行される。
図２２に示すフローチャートは構成情報編集端末３において、物品構成情報閲覧プログラムＰ３が起動したとき、具体的には、ネットワークＮに接続された物品情報サーバ６にアクセスをした時に開始される。
【００７０】
図２２のＳＴ１において、物品情報サーバ６に閲覧用認証画像２１の送信を要求する。そして、ＳＴ２に進む。
ＳＴ２において、物品情報サーバ６から送信された閲覧用認証画像２１を受信したか否かを判別する。ノー（Ｎ）の場合はＳＴ２を繰り返し、イエス（Ｙ）の場合はＳＴ３に進む。
ＳＴ３において、閲覧用認証画像２１をディスプレイＨ２に表示し、ＳＴ４に進む。
ＳＴ４において、ユーザＩＤ入力欄２１ａやパスワード入力欄２１ｂへの入力がされたか否かを判別する。イエス（Ｙ）の場合はＳＴ５に進み、ノー（Ｎ）の場合はＳＴ６に進む。
ＳＴ５において、入力に応じて閲覧用認証画像２１を更新して、ＳＴ４に戻る。
【００７１】
ＳＴ６において、認証開始釦の一例としての「ログイン」２１ｃを選択する入力がされたか否かを判別する。イエス（Ｙ）の場合はＳＴ７に進み、ノー（Ｎ）の場合はＳＴ４に戻る。
ＳＴ７において、各入力欄２１ａ，２１ｂに入力されたユーザＩＤとパスワードを物品情報サーバ６に送信して、ユーザＩＤとパスワードの照会を行う。そして、ＳＴ８に進む。
ＳＴ８において、物品情報サーバ６から送信された情報に基づいて、認証されたか否かを判別する。実施例１では、閲覧物品選択画像２２が物品情報サーバ６から送信された場合に、認証されたものと判別し、認証がされなかったことを告知する認証不可画像（図示せず）を受信した場合には、認証されなかったものと判別する。ノー（Ｎ）の場合はＳＴ９に進み、イエス（Ｙ）の場合は図２３のＳＴ１０に進む。
ＳＴ９において、認証されなかったことを告知する認証不可画像をディスプレイＨ２に所定時間表示して、ＳＴ１に戻る。
【００７２】
図２３のＳＴ１０において、物品情報サーバ６から送信された閲覧物品選択画像２２（図６，図７参照）をディスプレイＨ２に表示する。そして、ＳＴ１１に進む。
ＳＴ１１において、閲覧物品選択画像２２の閲覧物品選択欄の一例としての「機種名」欄２２ｅや閲覧構成部位選択欄の一例としての「Ｓｕｂ名」欄２２ｆで、物品名または構成部位を選択する入力がされたか否かを判別する。イエス（Ｙ）の場合はＳＴ１２に進み、ノー（Ｎ）の場合はＳＴ１３に進む。
ＳＴ１２において、入力に応じて閲覧物品選択画像２２を更新し、ＳＴ１１に戻る。
ＳＴ１３において、閲覧物品選択画像２２の閲覧実行釦の一例としての「ＦＴ表示」アイコン２２ｇを選択する入力がされたか否かを判別する。イエス（Ｙ）の場合はＳＴ１４に進み、ノー（Ｎ）の場合はＳＴ２２に進む。
【００７３】
ＳＴ１４において、各選択欄２２ｅ、２２ｆで物品名および構成部位の選択がされているか否かを判別する。ノー（Ｎ）の場合はＳＴ１５に進み、イエス（Ｙ）の場合はＳＴ１６に進む。
ＳＴ１５において、物品名または構成部位が選択されていないことを告知する図示しないエラー画像を閲覧物品選択画像２２の各選択欄２２ｅ，２２ｆの下方である物品構成情報閲覧画像２２ｈに対応する位置に表示し、ＳＴ１１に戻る。
ＳＴ１６において、物品情報サーバ６に選択された物品名および構成部位に対応する閲覧用物品構成情報の送信を要求する。そして、ＳＴ１７に進む。
ＳＴ１７において、物品情報サーバ６から送信された閲覧用物品構成情報を受信したか否かを判別する。イエス（Ｙ）の場合はＳＴ１８に進み、ノー（Ｎ）の場合はＳＴ１７を繰り返す。
【００７４】
ＳＴ１８において、受信した閲覧用物品構成情報に基づいて、火元距離Ｌｆが火元距離基準値Ｌ１以下であるか否かを判別する。なお、実施例１ではＬ１＝１３ｍｍに設定されている。イエス（Ｙ）の場合はＳＴ１９に進み、ノー（Ｎ）の場合はＳＴ２１に進む。
ＳＴ１９において、難燃グレードは難燃情報基準値Ｌ２以下であるか否かを判別する。なお、実施例１ではＬ２＝「ＨＢ」に設定されている。イエス（Ｙ）の場合はＳＴ２０に進み、ノー（Ｎ）の場合はＳＴ２１に進む。
ＳＴ２０において、火元距離Ｌｆが火元距離Ｌ１以下且つ難燃グレードが難燃情報基準値Ｌ２以下の部品の欄を強調表示して図８に示す構成物品閲覧画像２２ｈを表示する。そして、ＳＴ１１に戻る。
ＳＴ２１において、構成物品閲覧画像２２ｈを表示し、ＳＴ１１に戻る。
【００７５】
ＳＴ２２において、情報取得切換え釦の一例としての「ＦＴダウンロード」アイコン２２ｂを選択する入力がされたか否かを判別する。ノー（Ｎ）の場合はＳＴ２３に進み、イエス（Ｙ）の場合は図２４のＳＴ２７に進む。
ＳＴ２３において、認証終了釦の一例としての「ログアウト」アイコン２２ｄを選択する入力がされたか否かを判別する。イエス（Ｙ）の場合はＳＴ２４に進み、ノー（Ｎ）の場合はＳＴ２５に進む。
ＳＴ２４において、物品情報サーバ６に対して、物品情報の閲覧、取得を終了したこと、すなわち、ログアウトした情報が送信され、図２２〜図２４の構成物品情報閲覧処理を終了する。
ＳＴ２５において、その他の入力、例えば「ヘルプ」釦２２ｃを選択する入力がされたか否かを判別する。イエス（Ｙ）の場合はＳＴ２６に進み、ノー（Ｎ）の場合はＳＴ１１に戻る。
ＳＴ２６において、入力に応じた処理を実行し、ＳＴ１１に戻る。
【００７６】
図２４のＳＴ２７において、物品情報サーバ６に対して図９に示す情報取得物品選択画像２３の送信要求を行う。そして、ＳＴ２８に進む。
ＳＴ２８において、物品情報サーバ６から送信された情報取得物品選択画像２３を受信したか否かを判別する。イエス（Ｙ）の場合はＳＴ２９に進み、ノー（Ｎ）の場合はＳＴ２８を繰り返す。
ＳＴ２９において、情報取得物品選択画像２３をディスプレイＨ２に表示し、ＳＴ３０に進む。
ＳＴ３０において、情報取得物品選択画像２３の取得物品選択欄の一例としての「機種名」欄２３ｅや取得構成部位選択欄の一例としての「Ｓｕｂ名」欄２３ｆで、物品名または構成部位を選択する入力がされたか否かを判別する。イエス（Ｙ）の場合はＳＴ３１に進み、ノー（Ｎ）の場合はＳＴ３２に進む。
ＳＴ３１において、入力に応じて取得物品選択画像２３を更新し、ＳＴ３０に戻る。
ＳＴ３２において、取得物品選択画像２３の「更新ステータス表示」釦２３ｇを選択する入力がされたか否かを判別する。イエス（Ｙ）の場合はＳＴ３３に進み、ノー（Ｎ）の場合はＳＴ３８に進む。
【００７７】
ＳＴ３３において、各選択欄２３ｅ、２３ｆで物品名および構成部位の選択がされているか否かを判別する。ノー（Ｎ）の場合はＳＴ３４に進み、イエス（Ｙ）の場合はＳＴ３５に進む。
ＳＴ３４において、物品名または構成部位が選択されていないことを告知する図示しないエラー画像を取得物品選択画像２３の更新ステータス表示欄２３ｈに表示し、ＳＴ３０に戻る。
ＳＴ３５において、物品情報サーバ６に、選択された物品名および構成部位に対応する更新ステータスを問い合せる更新ステータス問合せ情報を送信する。そして、ＳＴ３６に進む。
ＳＴ３６において、物品情報サーバ６から送信された更新ステータスを受信したか否かを判別する。イエス（Ｙ）の場合はＳＴ３７に進み、ノー（Ｎ）の場合はＳＴ３６を繰り返す。
ＳＴ３７において、受信した更新ステータスを更新ステータス表示欄２３ｈに表示する。そして、ＳＴ３０に戻る。
【００７８】
ＳＴ３８において、取得実行釦の一例としての「更新ダウンロード」アイコン２３ｊを選択する入力がされたか否かを判別する。イエス（Ｙ）の場合はＳＴ３９に進み、ノー（Ｎ）の場合はＳＴ４５に進む。
ＳＴ３９において、各選択欄２３ｅ、２３ｆで物品名および構成部位の選択がされているか否かを判別する。ノー（Ｎ）の場合はＳＴ４０に進み、イエス（Ｙ）の場合はＳＴ４１に進む。
ＳＴ４０において、物品名または構成部位が選択されていないことを告知する図示しないエラー画像を取得物品選択画像２３の更新ステータス表示欄２３ｈに表示し、ＳＴ３０に戻る。
【００７９】
ＳＴ４１において、物品情報サーバ６に編集用の物品構成情報の送信要求を送信する。そして、ＳＴ４２に進む。
ＳＴ４２において、編集用の物品構成情報の送信、すなわち、物品構成情報の更新が可能であるか否かを判別する。実施例１では、物品構成情報を受信したか、または、物品構成情報にロックがかかり更新できないことを示す更新不可の情報を受信したかを判別する。イエス（Ｙ）の場合、すなわち更新可能の場合はＳＴ４３に進み、ノー（Ｎ）の場合、すなわち、更新不可の場合はＳＴ４４に進む。
ＳＴ４３において、編集用の物品構成情報、具体的には、物品構成情報が記録されたファイルを受信する。そして、ＳＴ３０に戻る。
ＳＴ４４において、編集用の物品構成情報にロックがかかっており、更新不可である旨を、図１０Ｂに示すように更新ステータス表示欄２３ｈに表示する。そして、ＳＴ３０に戻る。
【００８０】
ＳＴ４５において、取得物品選択画像２３の情報閲覧切換え釦の一例としての「ＦＴ構成閲覧」アイコン２３ｂを選択する入力がされたか否かを判別する。イエス（Ｙ）の場合はＳＴ１０に戻る。
ＳＴ４６において、認証終了釦の一例としての「ログアウト」アイコン２３ｄを選択する入力がされたか否かを判別する。イエス（Ｙ）の場合は図２３のＳＴ２４に進み、ノー（Ｎ）の場合はＳＴ４７に進む。
ＳＴ４７において、その他の入力の一例としての「ヘルプ」釦２３ｃがされたか否かを判別する。イエス（Ｙ）の場合はＳＴ４８に進み、ノー（Ｎ）の場合はＳＴ３０に戻る。
ＳＴ４８において、入力に応じた処理を実行し、ＳＴ３０に戻る。
【００８１】
（物品構成情報編集処理のフローチャートの説明）
図２５は実施例１の構成情報編集端末での物品構成情報編集処理のフローチャートである。
図２６は実施例１の物品構成情報編集処理のフローチャートであり、図２５の続きのフローチャートである。
図２７は実施例１の物品構成情報編集処理のフローチャートであり、図２６の続きのフローチャートである。
図２８は実施例１の物品構成情報編集処理のフローチャートであり、図２７の続きのフローチャートである。
図２５〜図２８のフローチャートの各ＳＴ：ステップの処理は、コンピュータ本体Ｈ１のハードディスク等に記憶された物品構成情報編集プログラムＰ４に従って行われる。また、この処理は構成情報編集端末３の他の各種処理と並行してマルチタスクで実行される。
図２５〜図２８に示すフローチャートは構成情報編集端末３において、物品構成情報編集プログラムＰ４が起動したとき、具体的には、編集用の物品構成情報が記録されたファイルを開くコマンドが実行されたときに開始される。
【００８２】
図２５のＳＴ５１において、編集用の認証画像２６をディスプレイＨ２に表示し、ＳＴ５２に進む。
ＳＴ５２において、ユーザＩＤ入力欄２６ａやパスワード入力欄２６ｂへの入力がされたか否かを判別する。イエス（Ｙ）の場合はＳＴ５３に進み、ノー（Ｎ）の場合はＳＴ５４に進む。
ＳＴ５３において、入力に応じて編集用の認証画像２６を更新して、ＳＴ５２に戻る。
ＳＴ５４において、認証開始釦の一例としての「ログイン」ボタン２６ｃを選択する入力がされたか否かを判別する。ノー（Ｎ）の場合はＳＴ５５に進み、イエス（Ｙ）の場合はＳＴ５７に進む。
【００８３】
ＳＴ５５において、認証取り消し釦の一例としての「キャンセル」ボタン２６ｄを選択する入力がされたか否かを判別する。イエス（Ｙ）の場合はＳＴ５６に進み、ノー（Ｎ）の場合はＳＴ５２に戻る。
ＳＴ５６において、物品構成情報ファイルを閉じ、物品構成情報編集処理を終了する。
ＳＴ５７において、各入力欄２６ａ，２６ｂに入力されたユーザＩＤとパスワードを物品情報サーバ６に送信して、ユーザＩＤとパスワードの照会を行う。そして、ＳＴ５８に進む。
ＳＴ５８において、物品情報サーバ６から送信された情報に基づいて、認証されたか否かを判別する。ノー（Ｎ）の場合はＳＴ５９に進み、イエス（Ｙ）の場合は図２３のＳＴ６０に進む。
ＳＴ５９において、認証されなかったことを告知する認証不可画像をディスプレイＨ２に所定時間表示して、ＳＴ５１に戻る。
【００８４】
図２６のＳＴ６０において、編集用の構成物品情報のファイルに記録されている物品や構成部位、すなわち機種名やＳｕｂ名の情報から、図１３に示す編集物品選択画像２７を作成し、ディスプレイＨ２に表示する。そして、ＳＴ６１に進む。
ＳＴ６１において、編集物品選択画像２７の物品選択欄の一例としての「機種名」欄２７ａや取得構成部位選択欄の一例としての「Ｓｕｂ名」欄２７ｂで、物品名または構成部位を選択する入力がされたか否かを判別する。イエス（Ｙ）の場合はＳＴ６２に進み、ノー（Ｎ）の場合はＳＴ６３に進む。
ＳＴ６２において、入力に応じて編集物品選択画像２７を更新し、ＳＴ６１に戻る。
ＳＴ６３において、編集物品選択画像２７の更新ステータス表示釦の一例としての「ステータス」ボタン２７ｃを選択する入力がされたか否かを判別する。イエス（Ｙ）の場合はＳＴ６４に進み、ノー（Ｎ）の場合はＳＴ６９に進む。
【００８５】
ＳＴ６４において、各選択欄２７ａ、２７ｂで物品名および構成部位の選択がされているか否かを判別する。ノー（Ｎ）の場合はＳＴ６５に進み、イエス（Ｙ）の場合はＳＴ６６に進む。
ＳＴ６５において、物品名または構成部位が選択されていないことを告知する図示しないエラー画像を編集物品選択画像２７のメッセージ表示欄２７ｆに表示し、ＳＴ６１に戻る。
ＳＴ６６において、物品情報サーバ６に、選択された物品名および構成部位に対応する更新ステータスを問い合せる更新ステータス問合せ情報を送信する。そして、ＳＴ６７に進む。
ＳＴ６７において、物品情報サーバ６から送信された更新ステータスを受信したか否かを判別する。イエス（Ｙ）の場合はＳＴ６８に進み、ノー（Ｎ）の場合はＳＴ６７を繰り返す。
ＳＴ６８において、受信した更新ステータスをメッセージ表示欄２７ｆに表示する。そして、ＳＴ６１に戻る。
【００８６】
ＳＴ６９において、更新実行釦の一例としての「更新」ボタン２７ｄを選択する入力がされたか否かを判別する。ノー（Ｎ）の場合はＳＴ７０に進む、イエス（Ｙ）の場合はＳＴ７２に進む。
ＳＴ７０において、終了釦２７ｅを選択する入力がされたか否かを判別する。イエス（Ｙ）の場合はＳＴ７１に進み、ノー（Ｎ）の場合はＳＴ６１に戻る。
ＳＴ７１において、編集用の物品構成情報ファイルを閉じ、物品構成情報編集処理を終了する。
ＳＴ７２において、各選択欄２７ａ、２７ｂで物品名および構成部位の選択がされているか否かを判別する。ノー（Ｎ）の場合はＳＴ７３に進み、イエス（Ｙ）の場合はＳＴ７４に進む。
ＳＴ７３において、物品名または構成部位が選択されていないことを告知する図示しないエラー画像をメッセージ表示欄２７ｆに表示し、ＳＴ６１に戻る。
【００８７】
ＳＴ７４において、物品情報サーバ６に最新の編集用物品構成情報の送信要求を送信する。そして、ＳＴ７５に進む。
ＳＴ７５において、物品情報サーバ６から送信された最新の編集用の物品構成情報を受信したか否かを判別する。ノー（Ｎ）の場合はＳＴ７６に進み、イエス（Ｙ）の場合はＳＴ７８に進む。
ＳＴ７６において、編集用の物品構成情報がロックされ、更新ができないことを告知する更新不可情報を受信したか否かを判別する。イエス（Ｙ）の場合はＳＴ７７に進み、ノー（Ｎ）の場合はＳＴ７５に戻る。
ＳＴ７７において、更新ができない旨のエラー表示をメッセージ表示欄２７ｆに表示する。そして、ＳＴ６１に戻る。
ＳＴ７８において、編集用の物品構成情報を開いて編集用物品構成情報画像２８（図１５参照）を表示する。そして、図２７のＳＴ７９に進む。
【００８８】
図２７のＳＴ７９において、編集用物品構成情報画像２８の物品構成情報表示欄２８ｆの中の部品識別情報の一例である部番の欄に入力がされたか否かを判別する。イエス（Ｙ）の場合はＳＴ８０に進み、ノー（Ｎ）の場合はＳＴ８３に進む。
ＳＴ８０において、部品情報サーバ７に部品識別情報の問合せ、すなわち、部品識別情報に対応する特性特定情報を含む部品特性情報の送信要求を行う。そして、ＳＴ８１に進む。
ＳＴ８１において、問合せに対応する部品特性情報を受信したか否かを判別する。イエス（Ｙ）の場合はＳＴ８２に進み、ノー（Ｎ）の場合はＳＴ８１を繰り返す。
ＳＴ８２において、次の処理（１）、（２）を実行して、ＳＴ７９に戻る。
（１）受信した部品特性情報を一時記憶する。
（２）受信した部品特性情報を編集用物品構成情報画像２８に反映する。すなわち、編集用物品構成情報画像２８において、部番が入力された項目の各特定特定情報の欄に受信した情報を表示する。なお、入力した部番等に対応する特定特定情報がない場合には、部品情報サーバ７から特定特定情報の欄が空欄の情報が送信されるため、結果として空欄のままの表示となる。
【００８９】
ＳＴ８３において、編集用物品構成情報画像２８の物品構成情報表示欄２８ｆの中の材料識別情報の一例としての材料番号の欄に入力がされたか否かを判別する。イエス（Ｙ）の場合はＳＴ８４に進み、ノー（Ｎ）の場合はＳＴ８７に進む。
ＳＴ８４において、部品情報サーバ７に材料識別情報の問合せ、すなわち、材料識別情報に対応する材料特性情報の送信要求を行う。そして、ＳＴ８５に進む。
ＳＴ８５において、問合せに対応した材料特性情報を受信したか否かを判別する。イエス（Ｙ）の場合はＳＴ８６に進み、ノー（Ｎ）の場合はＳＴ８５を繰り返す。
ＳＴ８６にいて、次の処理（１）〜（３）を実行し、ＳＴ７９に戻る。
（１）受信した材料特性情報を一時記憶する。
（２）材料特性情報を編集用物品構成情報画像２８の該当欄に特性特定情報として反映する。
（３）受信した材料特性情報を更新不許可に設定する。
【００９０】
ＳＴ８７において、編集用物品構成情報画像２８の物品構成情報表示欄２８ｆの中の特性特定情報の欄、例えば、材料名やヤング率等の欄への入力がされたか否かを判別する。イエス（Ｙ）の場合はＳＴ８８に進み、ノー（Ｎ）の場合はＳＴ９２に進む。
ＳＴ８８において、入力された欄は、更新不許可に設定されているか否かを判別する。イエス（Ｙ）の場合はＳＴ８９に進み、ノー（Ｎ）の場合はＳＴ９１に進む。
ＳＴ８９において、図１６Ａに示す編集不許可告知画像２９ａを表示し、ＳＴ９０に進む。
ＳＴ９０において、図１６Ａに示す前記編集不許可告知画像２９ａの編集不許可確認釦２９ａ１が入力されたか否かを判別する。イエス（Ｙ）の場合はＳＴ７９に戻り、ノー（Ｎ）の場合はＳＴ９０を繰り返す。
ＳＴ９１において、次の処理（１）、（２）を実行し、ＳＴ７９に戻る。
（１）入力された特性特定情報を一時記憶する
（２）入力された特性特定情報を編集用物品構成情報画像に反映する。
【００９１】
ＳＴ９２において、編集用物品構成情報画像２８の物品構成情報表示欄２８ｆの中のＲｅｖデータの欄への入力がされたか否かを判別する。イエス（Ｙ）の場合はＳＴ９３に進み、ノー（Ｎ）の場合はＳＴ９９に進む。
ＳＴ９３において、部品情報サーバ７にＲｅｖデータの問合せ、すなわち、入力のあった欄の最新のＲｅｖデータの送信要求を行う。実施例１では、入力がされたＲｅｖデータの部品識別情報を送信することで、対応する最新のＲｅｖデータの送信要求を行う。そして、ＳＴ９４に進む。
ＳＴ９４において、問合せに応じたＲｅｖデータを受信したか否かを判別する。イエス（Ｙ）の場合はＳＴ９５に進み、ノー（Ｎ）の場合はＳＴ９４を繰り返す。
【００９２】
ＳＴ９５において、入力されたＲｅｖデータの値が、受信した最新のＲｅｖデータの値以下か否か、すなわち、入力されたＲｅｖデータが最新のＲｅｖデータよりも古いか同じ値になっているか否かを判別する。イエス（Ｙ）の場合はＳＴ９６に進み、ノー（Ｎ）の場合はＳＴ９８に進む。
ＳＴ９６において、図１６Ｂに示す最新改訂回数既登録告知画像２９ｂを表示し、ＳＴ９７に進む。
ＳＴ９７において、最新改訂回数既登録告知画像２９ｂの最新改訂回数既登録確認釦２９ｂ１の入力がされたか否かを判別する。イエス（Ｙ）の場合はＳＴ７９に戻り、ノー（Ｎ）の場合はＳＴ９７を繰り返す。
ＳＴ９８において、次の処理（１）、（２）を実行し、ＳＴ７９に戻る。
（１）入力されたＲｅｖデータを一時記憶する。
（２）入力されたＲｅｖデータを編集用物品構成情報画像２８に反映する。
【００９３】
ＳＴ９９において、物品構成情報表示欄２８ｆの中の環境負荷計算用入力値の一例としての「コスト」欄の入力がされたか否かを判別する。イエス（Ｙ）の場合はＳＴ１００に進み、ノー（Ｎ）の場合はＳＴ１０３に進む。
ＳＴ１００において、環境負荷計算用入力値すなわち「コスト」が入力された部品に、環境負荷係数が登録されているか否かを判別する。イエス（Ｙ）の場合はＳＴ１０１に進み、ノー（Ｎ）の場合はＳＴ７９に戻る。
ＳＴ１０１において、環境負荷計算用入力値、すなわち、「コスト」と環境負荷係数とに基づいて、環境負荷値の一例としての「環境負荷ＣＯ２排出量」の値を自動計算する。そして、ＳＴ１０２に進む。
ＳＴ１０２において、計算された環境負荷値を編集用物品構成情報画像２８に反映する。すなわち、編集用物品構成情報画像２８において、環境負荷計算用入力値であるコストが入力された部品の環境負荷値の欄に自動計算した計算値を表示する。そして、ＳＴ７９に戻る。
【００９４】
ＳＴ１０３において、編集用物品構成情報画像２８の情報更新釦の一例としての「データ登録」ボタン２８ｂを選択する入力がされたか否かを判別する。イエス（Ｙ）の場合はＳＴ１０４に進み、ノー（Ｎ）の場合はＳＴ１１４に進む。
ＳＴ１０４において、入力情報にエラーがないかを判別するエラー判別処理を実行し、ＳＴ１０５に進む。
ＳＴ１０５において、エラーがあったか否かを判別する。イエス（Ｙ）の場合はＳＴ１０６に進み、ノー（Ｎ）の場合はＳＴ１０８に進む。
ＳＴ１０６において、図１６Ｃに示す更新時エラー画像２９ｃをディスプレイＨ２に表示する。そして、ＳＴ１０７に進む。
ＳＴ１０７において、図１６Ｃの「閉じる」釦２９ｃ２を選択する入力がされたか否かを判別する。イエス（Ｙ）の場合はＳＴ７９に戻り、ノー（Ｎ）の場合はＳＴ１０７を繰り返す。
【００９５】
ＳＴ１０８において、一時記憶された部品識別情報：部番、材料識別情報：材料番号、特性特定情報、Ｒｅｖデータ等と、受信して記憶されている編集用物品構成情報と、を比較して、差分、すなわち、修正された項目の有無を検索する。そして、ＳＴ１０９に進む。
ＳＴ１０９において、差分、すなわち、修正された項目があったか否かを判別する。イエス（Ｙ）の場合はＳＴ１１０に進み、ノー（Ｎ）の場合はＳＴ７９に戻る。
ＳＴ１１０において、図１６Ｄに示す反映確認画像２９ｄを表示し、ＳＴ１１１に進む。
ＳＴ１１１において、更新する旨の入力、すなわち、反映確認画像２９ｄの反映確認釦２９ｄ１を選択する入力がされたか否かを判別する。ノー（Ｎ）の場合はＳＴ１１２に進み、イエス（Ｙ）の場合はＳＴ１１３に進む。
【００９６】
ＳＴ１１２において、更新を行わない旨の入力、すなわち、反映確認画像２９ｄの反映取り消し釦２９ｄ２を選択するの入力がされたか否かを判別する。イエス（Ｙ）の場合はＳＴ７９に進み、ノー（Ｎ）の場合はＳＴ１１１に戻る。
ＳＴ１１３において、次の処理（１）、（２）を実行して、ＳＴ７９に戻る。
（１）一時記憶された各種情報に基づいて、更新された編集用物品構成情報ファイルを作成し、物品情報サーバ６に送信し、物品情報サーバ６の物品構成情報を更新する。実施例１では、一時記憶された各種情報を、編集用物品構成情報に反映することで編集用物品構成情報ファイルを更新する。
（２）一時記憶された各種情報に基づいて、更新がされた情報に応じて、更新された部品特性情報を作成して、部品情報サーバ７に送信し、部品情報サーバ７の部品特性情報を更新する。例えば、１つまたは複数の項目の特性特定情報が更新された場合に、更新された情報と部品識別情報等を含む部品特性情報を作成して、部品情報サーバ７に送信する。
【００９７】
ＳＴ１１４において、図１５に示す編集用物品構成情報画像２８の編集終了釦の一例としての「終了」ボタン２８ｃを選択する入力がされたか否かを判別する。イエス（Ｙ）の場合はＳＴ１１５に進み、ノー（Ｎ）の場合はＳＴ１１６に進む。
ＳＴ１１５において、編集用物品構成情報ファイルを閉じて、物品構成情報編集処理を終了する。
ＳＴ１１６において、その他の入力、例えば、表示位置変更釦の一例としてのスクロール釦２８ｇ、２８ｈの入力等がされたか否かを判別する。イエス（Ｙ）の場合はＳＴ１１７に進み、ノー（Ｎ）の場合はＳＴ７９に戻る。
ＳＴ１１７において、入力に応じて、編集用物品構成情報画像２８を更新する。そして、ＳＴ７９に戻る。
【００９８】
（製図端末４のフローチャートの説明）
（製図処理のフローチャートの説明）
図２９は実施例１の製図端末での製図処理のフローチャートである。
図３０は実施例１の製図処理のフローチャートであり、図２９の続きのフローチャートである。
図３１は実施例１の製図処理のフローチャートであり、図３０の続きのフローチャートである。
図２９〜図３１のフローチャートの各ＳＴ：ステップの処理は、コンピュータ本体Ｈ１のハードディスク等に記憶された製図プログラムＰ５に従って行われる。また、この処理は製図端末４の他の各種処理と並行してマルチタスクで実行される。
図２９〜図３１に示すフローチャートは製図端末４において、製図プログラムＰ５が起動されたときに開始される。なお、実施例１の製図処理では、前記物品構成情報編集処理と異なり、編集用の物品構成情報ファイルが開かれた場合ではなく、製図プログラムが起動されたときに開始される。
【００９９】
実施例１の製図処理では、図２９のＳＴ２０１〜ＳＴ２０９および図３０のＳＴ２１０〜ＳＴ２２８では、前記図２５，図２６のＳＴ５１〜ＳＴ７８における物品構成情報が、物品情報サーバ６から受信した製図情報付の物品構成情報となるだけで、ほぼ同様の処理が実行されるため、詳細な説明は省略する。
図３１のＳＴ２２９において、図１８に示す製図画像３１に対する製図を行う入力がされたか否か、すなわち、パレット欄３１ｅで描画する図形を選択したり、図面表示欄３１ａへ描画したりする入力がされたか否かを判別する。イエス（Ｙ）の場合はＳＴ２３０に進み、ノー（Ｎ）の場合はＳＴ２３１に進む。
ＳＴ２３０において、製図画像３１への入力に応じて製図画像３１を更新する。そして、ＳＴ２２９に戻る。
【０１００】
ＳＴ２３１において、製図画像３１の体積自動測定釦３１ｆを選択する入力がされたか否かを判別する。イエス（Ｙ）の場合はＳＴ２３２に進み、ノー（Ｎ）の場合はＳＴ２３７に進む。
ＳＴ２３２において、製図画像３１に表示されている製図情報から部品の体積を自動計算する。なお、集合体、すなわちAssy体の場合は、集合体を構成する部品のいずれか一つの体積を自動計算する。また、体積が計算できなかった場合は計算結果として測定失敗の情報を出力する。そして、ＳＴ２３３に進む。
ＳＴ２３３において、物品構成情報に基づいて、体積が自動計算された部品に比重情報の登録があるか否かを判別する。イエス（Ｙ）の場合はＳＴ２３４に進み、ノー（Ｎ）の場合はＳＴ２３５に進む。
【０１０１】
ＳＴ２３４において、比重情報と計算された体積情報とから重量を自動計算する。そして、ＳＴ２３５に進む。
ＳＴ２３５において、全ての部品の体積計算が終了したか否かを判別する。イエス（Ｙ）の場合はＳＴ２３６に進み、ノー（Ｎ）の場合はＳＴ２３２に戻る。
ＳＴ２３６において、次の処理（１）、（２）を実行し、ＳＴ２２９に戻る。
（１）体積測定結果画像３２をディスプレイＨ２に表示する。
（２）計算ができた体積、重量の情報を物品構成情報に反映する。すなわち、登録、更新を行う。
【０１０２】
ＳＴ２３７において、製図画像３１の火元距離測定釦３１ｇを選択する入力がされたか否かを判別する。イエス（Ｙ）の場合はＳＴ２３８に進み、ノー（Ｎ）の場合はＳＴ２４２に進む。
ＳＴ２３８において、製図画像３１で選択された部品や集合体の構成部品に火元フラグが設定された部品があるか否かを判別、すなわち検索する。ノー（Ｎ）の場合はＳＴ２３９に進み、イエス（Ｙ）の場合はＳＴ２４０に進む。
ＳＴ２３９において、全ての部品の火元距離を計算失敗に設定する。そして、ＳＴ２４１に進む。
ＳＴ２４０において、火元フラグの設定された火元部品と、他の構成部品との最短距離、すなわち、火元距離を自動計算する。そして、ＳＴ２４１に進む。
ＳＴ２４１において、次の処理（１）、（２）を実行して、ＳＴ２２９に戻る。
（１）図２０に示す火元距離測定結果画像３３をディスプレイＨ２に表示する。
（２）計算された火元距離を物品構成情報ファイルに反映する。
【０１０３】
ＳＴ２４２において、製図画像３１の印刷用画像切換え釦の一例としての「印刷画像切換」ボタン３１ｈを選択する入力がされたか否かを判別する。イエス（Ｙ）の場合はＳＴ２４３に進み、ノー（Ｎ）の場合はＳＴ２４５に進む。
ＳＴ２４３において、物品構成情報ファイルから情報付与図面画像３４を表示する際に必要な情報の一例としての図面貼付情報を取得する。すなわち、対象の部品に登録されている部品名、数量、サブシステムコード、部番等、材料名、リサイクルコード、難燃情報（難燃グレード）等の情報を取得する。そして、ＳＴ２４４に進む。
ＳＴ２４４において、図面貼付情報を含む情報付与図面画像３４を表示する。そして、ＳＴ２２９に戻る。
【０１０４】
ＳＴ２４５において、製図画像３１の更新実行釦の一例としての「データ登録」ボタン３１ｊを選択する入力がされたか否かを判別する。イエス（Ｙ）の場合はＳＴ２４６に進み、ノー（Ｎ）の場合はＳＴ２４７に進む。
ＳＴ２４６において、製図画像３１で編集され、表示された製図情報と、体積情報等が更新された物品構成情報を含むファイルを物品情報サーバ６に送信する。そして、ＳＴ２２９に戻る。
ＳＴ２４７において、製図終了釦３１ｋを選択する入力がされたか否かを判別する。イエス（Ｙ）の場合はＳＴ２４８に進み、ノー（Ｎ）の場合はＳＴ２４９に進む。
ＳＴ２４８において、製図画像３１を閉じて、製図処理を終了する。
ＳＴ２４９において、その他の入力、例えば、部品選択欄で部品を選択する入力等がされたか否かを判別する。イエス（Ｙ）の場合はＳＴ２５０に進み、ノー（Ｎ）の場合はＳＴ２２９に戻る。
ＳＴ２５０において、入力に応じた処理、例えば、部品が変更された場合には変更後の部品の図面画像を図面表示欄３１ａに表示する処理等を実行し、ＳＴ２２９に戻る。
【０１０５】
（物品情報サーバ６のフローチャートの説明）
（情報配信処理のフローチャートの説明）
図３２は実施例１の物品情報サーバでの情報配信処理のフローチャートである。
図３３は実施例１の情報配信処理のフローチャートであり、図３２の続きのフローチャートである。
図３２〜図３３のフローチャートの各ＳＴ：ステップの処理は、コンピュータ本体Ｈ１のハードディスク等に記憶された物品情報配信プログラムＰ２に従って行われる。また、この処理は物品情報サーバ６の他の各種処理と並行してマルチタスクで実行される。
図３２〜図３３に示すフローチャートは物品情報サーバ６において、物品情報配信プログラムＰ２が起動されたときに開始される。
【０１０６】
図３２のＳＴ２６１において、構成情報編集端末３から閲覧用認証画像２１（図５参照）の送信要求を受信したか否か、すなわち、構成情報編集端末３において、前記物品構成情報閲覧プログラムＰ３が起動され、物品情報サーバ６にアクセスされたか否かを判別する。イエス（Ｙ）の場合はＳＴ２６２に進み、ノー（Ｎ）の場合はＳＴ２６３に進む。
ＳＴ２６２において、閲覧用認証画像２１を構成情報編集端末３に送信し、ＳＴ２６１に戻る。
ＳＴ２６３において、物品構成情報閲覧用の認証情報を受信したか否か、すなわち、閲覧用認証画像２１で認証開始釦２１ｃの選択入力がされた場合にＳＴ６、ＳＴ７の処理で送信される認証情報の一例としてのユーザＩＤとパスワードを受信したか否かを判別する。イエス（Ｙ）の場合はＳＴ２６４に進み、ノー（Ｎ）の場合はＳＴ２６７に進む。
【０１０７】
ＳＴ２６４において、受信した認証情報であるユーザＩＤとパスワードとが一致するか否かを判別する。イエス（Ｙ）の場合はＳＴ２６５に進み、ノー（Ｎ）の場合はＳＴ２６６に進む。
ＳＴ２６５において、次の処理（１）〜（３）を実行し、ＳＴ２６１に戻る。
（１）認証されたことを示す認証通過情報を構成情報編集端末３に送信する。
（２）図６に示す閲覧物品選択画像２２を構成情報編集端末３に送信する。
（３）認証情報を送信した利用者が作業中であることを記憶するログイン処理を実行する。
ＳＴ２６６において、認証されなかったことを示す認証不可情報を送信する。そして、ＳＴ２６１に戻る。
【０１０８】
ＳＴ２６７において、閲覧物品選択画像２２で閲覧実行釦の一例としての「ＦＴ表示」アイコン２２ｇの選択入力がされた場合にＳＴ１３〜ＳＴ１６の処理で送信される閲覧用物品構成情報の送信要求を受信したか否かを判別する。イエス（Ｙ）の場合はＳＴ２６８に進み、ノー（Ｎ）の場合はＳＴ２６９に進む。
ＳＴ２６８において、受信した閲覧用物品構成情報送信要求に含まれる機種名やＳｕｂ名に応じた閲覧用物品構成情報を送信する。そして、ＳＴ２６１に戻る。
ＳＴ２６９において、閲覧物品選択画像２２で情報取得切換え釦の一例としての「ＦＴダウンロード」アイコン２２ｂの選択入力がされた場合に、ＳＴ２２，ＳＴ２７の処理で送信される図１０に示す情報取得物品選択画像２３の送信要求を受信したか否かを判別する。イエス（Ｙ）の場合はＳＴ２７０に進み、ノー（Ｎ）の場合はＳＴ２７１に進む。
ＳＴ２７０において、情報取得物品選択画像２３を構成情報編集端末３に送信し、ＳＴ２６１に戻る。
【０１０９】
ＳＴ２７１において、情報取得物品選択画像２３の更新ステータス表示釦の一例としての「更新ステータス表示」アイコン２３ｇや編集物品選択画像２７の更新ステータス表示釦の一例としての「ステータス」ボタン２７ｃが選択入力された場合に構成情報編集端末３または製図端末４から送信される更新ステータスの問合せ情報を受信したか否かを判別する。イエス（Ｙ）の場合はＳＴ２７２に進み、ノー（Ｎ）の場合はＳＴ２７３に進む。
ＳＴ２７２において、更新ステータスの問合せ情報に含まれる機種名やＳｕｂ名に対応する更新ステータスを送信する。そして、ＳＴ２６１に戻る。
ＳＴ２７３において、情報取得物品選択画像２３の取得実行釦の一例としての「更新ダウンロード」アイコン２３ｊや編集物品選択画像２７の更新実行釦の一例としての「更新」ボタン２７ｄが選択入力された場合に構成情報編集端末３または製図端末４から送信される編集用物品構成情報や製図情報の送信要求を受信したか否かを判別する。イエス（Ｙ）の場合はＳＴ２７４に進み、ノー（Ｎ）の場合はＳＴ２７７に進む。
【０１１０】
ＳＴ２７４において、受信した物品構成情報の送信要求情報に含まれる利用者の識別情報の一例としてのユーザＩＤと、現在時刻と、情報取得離励起情報記憶手段Ｃ２０Ａに記憶された情報とに基づいて、送信要求がされた物品構成情報が更新可能あるか否か、すなわち、ロックがされていないか否かを判別する。イエス（Ｙ）の場合はＳＴ２７５に進み、ノー（Ｎ）の場合はＳＴ２７６に進む。
ＳＴ２７５において、次の処理（１）、（２）を実行し、ＳＴ２６１に戻る。
（１）情報取得履歴情報の一例としての更新ステータスに、物品構成情報等を送信する利用者のユーザＩＤと、送信した時刻であるダウンロード時間と、送信した物品構成情報である物品名：機種名と構成部位名：Ｓｕｂ名とを登録する。
（２）送信要求された機種名、Ｓｕｂ名の編集用物品構成情報および製図情報を送信する。
ＳＴ２７６において、更新ができないことを示す更新不可情報を送信し、ＳＴ２６１に戻る。
【０１１１】
ＳＴ２７７において、閲覧物品選択画像２２の認証終了釦の一例としての「ログアウト」アイコン２２ｄや情報取得物品選択画像２３の認証終了釦の一例としての「ログアウト」アイコン２３ｄ等の選択入力がされた場合に送信されるログアウト情報を受信したか否かを判別する。イエス（Ｙ）の場合はＳＴ２７８に進み、ノー（Ｎ）の場合は図３３のＳＴ２７９に進む。
ＳＴ２７８において、認証された利用者が作業を終了し、認証状態を解除するログアウト処理を実行し、ＳＴ２６１に戻る。
図３３のＳＴ２７９において、図１２に示すように認証画像２６の認証実行釦の一例としての「ログイン」ボタン２６ｃが選択入力された場合に送信される最新の物品構成情報を取得する際に送信される認証情報を受信したか否かを判別する。イエス（Ｙ）の場合はＳＴ２８０に進み、ノー（Ｎ）の場合はＳＴ２８３に進む。
【０１１２】
ＳＴ２８０において、受信した認証情報であるユーザＩＤとパスワードとが一致するか否かを判別する。イエス（Ｙ）の場合はＳＴ２８１に進み、ノー（Ｎ）の場合はＳＴ２８２に進む。
ＳＴ２８１において、次の処理（１）、（２）を実行し、ＳＴ２６１に戻る。
（１）認証されたことを示す認証通過情報を構成情報編集端末３に送信する。
（２）該当する機種名、Ｓｕｂ名の最新の編集用物品構成情報を構成情報編集端末３に送信する。
ＳＴ２８２において、認証されなかったことを示す認証不可情報を送信する。そして、ＳＴ２６１に戻る。
【０１１３】
ＳＴ２８３において、図１５に示す編集用物品構成情報画像２８の情報更新釦の一例としての「データ登録」ボタン２８ｂや、図１８に示す製図画像３１の更新実行釦の一例としての「データ登録」ボタン３１ｊが選択入力された場合に送信される更新された物品構成情報および製図情報を受信したか否かを判別する。イエス（Ｙ）の場合はＳＴ２８４に進み、ノー（Ｎ）の場合はＳＴ２８５に進む。
ＳＴ２８４において、次の処理（１）、（２）を実行し、ＳＴ２６１に戻る。
（１）受信した情報に基づいて、物品構成情報および製図情報を更新する
（２）該当する物品名および構成部位名の情報取得履歴情報である更新ステータスを削除する。
【０１１４】
ＳＴ２８５において、製図処理が開始される際にＳＴ２０４、ＳＴ２０７の処理で送信される認証情報を受信したか否かを判別する。イエス（Ｙ）の場合はＳＴ２８６に進み、ノー（Ｎ）の場合はＳＴ２８９に進む。
ＳＴ２８６において、受信した認証情報であるユーザＩＤとパスワードとが一致するか否かを判別する。イエス（Ｙ）の場合はＳＴ２８７に進み、ノー（Ｎ）の場合はＳＴ２８８に進む。
ＳＴ２８７において、次の処理（１）、（２）を実行し、ＳＴ２６１に戻る。
（１）認証されたことを示す認証通過情報を製図端末４に送信する。
（２）選択可能な機種名、Ｓｕｂ名の情報を製図端末４に送信する。
ＳＴ２８８において、認証されなかったことを示す認証不可情報を送信する。そして、ＳＴ２６１に戻る。
【０１１５】
ＳＴ２８９において、部品情報サーバ７で特性特定情報の登録、更新がされた場合に送信される特性特定情報を受信したか否かを判別する。イエス（Ｙ）の場合はＳＴ２９０に進み、ノー（Ｎ）の場合はＳＴ２６１に戻る。
ＳＴ２９０において、受信した特性特定情報に基づいて、物品構成情報の該当欄の情報を更新する。そして、ＳＴ２６１に戻る。
【０１１６】
（部品情報サーバのフローチャートの説明）
（部品情報配信処理のフローチャートの説明）
図３４は実施例１の部品情報サーバでの部品情報配信処理のフローチャートである。
図３４のフローチャートの各ＳＴ（ステップ）の処理は、コンピュータ本体Ｈ１のハードディスク等に記憶された部品情報配信プログラムＰ１に従って行われる。また、この処理は部品情報サーバ７の他の各種処理と並行してマルチタスクで実行される。
図３４に示すフローチャートは部品情報サーバ７の部品情報配信プログラムＰ１が起動されたときに開始される。
【０１１７】
図３４のＳＴ３０１において、構成情報編集端末３から送信された部品特性情報の問合せを受信したか否かを判別する。イエス（Ｙ）の場合はＳＴ３０２に進み、ノー（Ｎ）の場合はＳＴ３０３に進む。
ＳＴ３０２において、問合せに応じた部品識別情報に対応する特性特定情報を含む部品特性情報を部品特性情報データベースＣ１ｂから取得して、構成情報編集端末３に送信する。そして、ＳＴ３０１に戻る。
ＳＴ３０３において、構成情報編集端末３から送信された材料特性情報の問合せを受信したか否かを判別する。イエス（Ｙ）の場合はＳＴ３０４に進み、ノー（Ｎ）の場合はＳＴ３０５に進む。
ＳＴ３０４において、問合せに応じた材料識別情報に対応する材料特性情報を材料特性情報データベースＣ１ａから取得して、構成情報編集端末３に送信する。そして、ＳＴ３０１に戻る。
【０１１８】
ＳＴ３０５において、構成情報編集端末３から送信されたＲｅｖデータの問合せを受信したか否かを判別する。イエス（Ｙ）の場合はＳＴ３０６に進み、ノー（Ｎ）の場合はＳＴ３０７に進む。
ＳＴ３０６において、問合せに応じたＲｅｖデータを部品特性情報データベースＣ１ｂから取得して、構成情報編集端末３に送信する。そして、ＳＴ３０１に戻る。
ＳＴ３０７において、構成情報編集端末３から送信された更新済みの部品特性情報を受信したか否かを判別するイエス（Ｙ）の場合はＳＴ３０８に進み、ノー（Ｎ）の場合はＳＴ３０９に進む。
ＳＴ３０８において、受信した更新後の部品特性情報を、部品特性情報データベースＣ１ｂに反映して、更新登録を行う。そして、ＳＴ３０１に戻る。
【０１１９】
ＳＴ３０９において、入力装置、すなわち、キーボードＨ３やマウスＨ４での入力により、部品特性情報または材料特性情報の新規登録、修正、削除等の編集がされたか否かを判別する。イエス（Ｙ）の場合はＳＴ３１０に進み、ノー（Ｎ）の場合はＳＴ３０１に戻る。
ＳＴ３１０において、次の処理（１）、（２）を実行して、ＳＴ３０１に戻る。
（１）編集後の部品特性情報および材料特性情報に、部品特性情報データベースＣ１ｂおよび材料特性情報データベースＣ１ａの情報を更新する。
（２）更新された部品特性情報データベースＣ１ｂの特性特定情報を物品情報サーバ６に送信して、物品情報サーバ６の情報を更新する。
【０１２０】
（実施例１の作用）
前記構成を備えた実施例１の設計支援システムＳでは、物品構成情報の編集を行う際に、物品構成情報の各欄に情報を登録していくだけで物品を構成する部品の部番等や部品名、数量等が登録される。そして、部番を入力するだけで、部品情報サーバ７から該当する部番等に対応する特性特定情報が送信され、各欄に反映されるので、部品の材質や強度、耐久性、重量、燃えやすさ等について、利用者が記憶したり、その都度規格書等で調べたりしなくてもよく、物品構成情報の登録、編集が容易になる。また、以前の物品、機種で使用した部品があれば、その部番を登録するだけで、前機種の設計者が入力した特性特定情報が反映、登録され、そのまま利用可能となる。よって、登録作業が削減され、設計の作業性が高まり、作業時間が削減されると共に、設計者の知識等に過度に依存せずに、物品の設計が可能となる。
【０１２１】
同様に、部番ではなく材料番号を入力すると、部品情報サーバ７から自動的に材料情報が取得され、各部品の材料特性情報が自動的に反映、転記され、材料特性情報を設計者が記憶したり、調べたりする手間が削減される。また、材料情報は、部品情報サーバ７で管理され、外部から編集ができず、物品構成情報でも編集ができないようにされているため、設計者が誤った値を入力したものが反映されてしまうことが低減される。なお、物品構成情報の各欄において、材料特性情報が登録されていない欄については、特性特定情報の入力が可能となっており、入力された内容は部品特性情報として記憶され、部番を入力することで自動転記される。よって、情報の入力の差異に、部番に材料識別情報を関連づけることで、材料特性情報が自動転記されると共に、そのほかの情報を手動で直接入力することで、部番に追加の情報が関連づけられ、前の機種の設計者等が入力した内容を別の機種の設計者が部番を入力するだけで利用することができる。これに伴い、スーパーセッションも容易に行うことが可能となる。
【０１２２】
さらに、物品構成情報の編集が行われ、部番や材料番号の変更や、各欄の入力値に変化があると、自動的に差分が検出され、更新してもよいかの確認が表示され、設計者が確認できるようになっている。また、Ｒｅｖデータについて、古いＲｅｖデータを登録しようとした場合には、エラー表示がされ、古いＲｅｖデータが登録されることが防止されている。
また、物品構成情報の閲覧や、取得、また、製図を行う際に、認証が行われ、悪意を持った人物による改竄等に対する安全性、いわゆるセキュリティも確保される。
【０１２３】
さらに、実施例１の設計支援システムＳでは、物品構成情報の編集や、製図を行う際には、最新の物品構成情報や製図情報を受信して編集や製図が行われ、常に最新の情報で編集等がされる。したがって、最新ではない古い情報に基づいて更新等を行うことが防止される。
また、実施例１の設計支援システムＳでは、物品構成情報や製図情報が送信された場合に、原則として更新の登録がされるまで、ロックがかけられ、他の利用者が物品構成情報を受信し、編集等することができない。したがって、複数の利用者が同じ物品構成情報等を編集し、古い物品構成情報が後から登録されてしまい、結果として最新の情報とならないといった事態が防止される。さらに、実施例１の設計支援システムＳでは、更新ステータスの問合せでロックがかかっているか否かが容易に確認可能となっている。また、現在編集中の利用者が確認可能であり、進捗の確認や更新を促すことが可能となっている。
【０１２４】
また、実施例１の設計支援システムＳでは、モデリングされた３Ｄモデルから自動的に体積が計算され、計算された体積が自動的に物品構成情報に反映され、登録される。さらに、比重情報が登録されている場合には、体積と比重から重量が自動計算され、物品構成情報に自動的に反映される。さらに、実施例１の設計支援システムＳでは、モデリングされた３Ｄモデルと火元フラグの設定情報から、火元距離が自動計算され、自動計算された火元距離が物品構成情報に自動的に反映され、登録される。よって、体積や重量、火元距離を手計算し、体積等を登録するためだけに物品構成情報を取得等するといった手間が削減される。また、計算ミスや登録ミスが防止され、設計の作業性が向上している。
【０１２５】
さらに、実施例１の設計支援システムＳでは、物品構成情報を閲覧する際に、火元距離と難燃グレードから、安全基準を満足しない部品については、強調表示、すなわち警告表示がされ、物品構成情報を閲覧するだけで、物品が安全基準に適合しているか否かを容易に利用者が確認可能になっている。したがって、利用者の知識や熟練度に依存せず、安全基準に適合しているか否かが容易に確認可能である。
また、実施例１の設計支援システムＳでは、設計図面を製図する場合に、物品構成情報から自動的に必要な情報が取得されて表示、製図される。したがって、その都度、設計図に必要な情報を確認して設定、製図する従来の場合に比べて、設定する作業が省略されており、必要な情報の付け忘れのような製図ミスが防止され、設計の作業効率が高まっている。
さらに、実施例１の設計支援システムＳでは、物品名だけでなく、構成部位で物品構成情報の取得、編集、更新がされ、送受信される情報量が抑制され、サーバ６，７や通信への負荷が抑制されている。
【０１２６】
また、実施例１の設計支援システムＳでは、部品の特性特定情報が更新された場合に、自動的に物品構成情報に反映されており、最新の特定特定情報が反映された物品構成情報で設計や製図が行われる。
さらに、実施例１の設計支援システムＳでは、例えば、既存の機種を改良して新たな機種を設計する場合に、既存の機種の各物品および構成部位の情報を複製し、改良する部分や改良に伴って編集が必要な部分だけ編集することで、新たな機種の設計が可能となっている。よって、新機種が容易に設計可能であり、新機種を市場に投入するまでのサイクルを短縮可能である。
【０１２７】
また、実施例１の設計支援システムＳでは、製図情報を含む物品構成情報が管理されており、物品の部品に対応する製図情報が合わせて管理される。したがって、部品と設計図面とが別々に管理されている場合に比べて、対応関係を把握することが容易となっており、部品を指定するだけで設計図面を特定することも可能となる。
さらに、実施例１の設計支援システムＳでは、コストから環境負荷が自動的に計算され、環境負荷を手計算したりする手間が省略されている。
【０１２８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）前記実施例において、ネットワークＮの構成は、ローカルエリアネットワーク２とインターネット１とからなるものを例示したが、これに限定されず、イントラネットのみまたはインターネットのみとしたり、専用線を使用して接続等の任意の構成の回線とすることが可能である。
【０１２９】
（Ｈ02）前記実施例において、設計支援システムＳでは、構成情報編集端末３と製図端末４は別個の装置により構成したが、１つの装置にそれぞれの機能を組み込むことも可能である。同様に、物品情報サーバ６と部品情報サーバ７と共通化したり、端末３，４とサーバ６，７を共通化する等、各装置３，４，６，７に組み込まれた各機能を分散させたり、集約させることは任意に変更可能である。
（Ｈ03）前記実施例において、認証を行うことが望ましいが、省略することも可能である。
（Ｈ04）前記実施例において、物品構成情報や製図情報の更新は、ボタンを入力する必要があったが、例えば、プログラムを終了する際に、自動的に物品構成情報をサーバ６に送信して更新するように構成することも可能である。このほかにも、プログラムを終了する際に、更新していない場合には確認を促す画面を表示したりすることも可能である。
【０１３０】
（Ｈ05）前記実施例において、物品構成情報や特性特定情報の各項目は、例示した項目に限定されず、必要に応じて、項目を追加したり、減らすことも可能である。また、各数値や規格（難燃グレード等）、単位は、設計や技術分野に応じて適宜変更可能である。
（Ｈ06）前記実施例において、体積や火元距離、重量、環境負荷を自動計算したが、必要に応じて、これらは省略することも可能である。
（Ｈ07）前記実施例において、物品構成情報と製図情報とを対応させて記憶していたが、これに限定されず、物品構成情報と製図情報を別々に記憶、管理することも可能である。
（Ｈ08）本発明は、物品としては、複数の部品やＡｓｓｙ体により構成される画像形成装置等の精密機械や、自動車等の産業機械等、複数の部品やＡｓｓｙ体により構成される任意の物品に対して適用可能である。
【０１３１】
（Ｈ09）前記実施例において、環境負荷の計算を、コストに基づいて実行する場合を例示したが、これに限定されず、例えば、重量に対応する環境負荷係数を材料毎に設定し、重量と環境負荷係数とを掛け合わせることで算出する用に構成することも可能である。
（Ｈ010）前記実施例において、火元距離と難燃グレードとの関係で、強調表示を行うか否かの処理を構成情報編集端末側で行ったが、これに限定されず、物品情報サーバで処理を行い、強調表示の指定等がされた後の画像を構成情報編集端末に送信するように構成することも可能である。
（Ｈ011）前記実施例において、体積の自動計算がされた場合に、製図端末で比重との関係で重量も自動計算したが、この構成に限定されず、製図端末では体積だけ自動計算し、重量の計算は物品情報サーバで行うことも可能である。
【０１３２】
（Ｈ012）前記実施例において、各確認画像は、表示して確認を促すことが望ましいが、省略することも可能である。
（Ｈ013）前記実施例において、編集がされたか否かを自動的に判別する構成としたが、この構成に加え、例えば、入力時に入力した内容を色を変えて表示したり、強調表示することで編集部分を設計者に容易に認識可能にすることができる。
【図面の簡単な説明】
【０１３３】
【図１】図１は本発明の実施例１の設計支援システムの全体説明図である。
【図２】図２は実施例１の部品情報サーバおよび物品情報サーバの制御部が備えている各機能をブロック図（機能ブロック図）で示した図である。
【図３】図３は実施例１の部品特性情報の一例の説明図である。
【図４】図４は実施例１の物品構成情報の一例の説明図である。
【図５】図５は実施例１の閲覧用の認証画像の説明図である。
【図６】図６は実施例１の閲覧物品選択画像の説明図である。
【図７】図７は図６に示す閲覧物品選択画像において、機種名やＳｕｂ名が選択された状態の説明図である。
【図８】図８は実施例１の閲覧物品選択画像において、物品構成情報が表示された状態の説明図である。
【図９】図９は実施例１の情報取得物品選択画像の説明図である。
【図１０】図１０は更新ステータスの説明図であり、図１０Ａは図９の情報取得物品選択画像において更新が可能である旨の更新ステータスが表示された状態の説明図、図１０Ｂは更新ができない場合の更新ステータスの一例の説明図である。
【図１１】図１１は実施例１の構成情報編集端末の制御部分が備えている各機能をブロック図（機能ブロック図）で示した図である。
【図１２】図１２は、実施例１の物品構成情報編集プログラムでの認証画像の説明図である。
【図１３】図１３は実施例１の編集物品選択画像の説明図である。
【図１４】図１４は図１３に示す編集物品選択画像において、更新ステータスが表示された状態の説明図である。
【図１５】図１５は実施例１の編集用物品構成情報画像の説明図である。
【図１６】図１６は実施例１の更新時エラー画像の説明図である。
【図１７】図１７は実施例１の製図端末の制御部分が備えている各機能をブロック図（機能ブロック図）で示した図である。
【図１８】図１８は実施例１の製図画像の一例の説明図である。
【図１９】図１９は実施例１の体積測定結果画像の一例の説明図である。
【図２０】図２０は実施例１の火元距離測定結果画像の一例の説明図である。
【図２１】図２１は実施例１の情報付与図面画像の一例の説明図である。
【図２２】図２２は実施例１の構成情報編集端末での物品構成情報閲覧処理のフローチャートである。
【図２３】図２３は実施例１の物品構成情報閲覧処理のフローチャートであり、図２２の続きのフローチャートである。
【図２４】図２４は実施例１の物品構成情報閲覧処理のフローチャートであり、図２３の続きのフローチャートである。
【図２５】図２５は実施例１の構成情報編集端末での物品構成情報編集処理のフローチャートである。
【図２６】図２６は実施例１の物品構成情報編集処理のフローチャートであり、図２５の続きのフローチャートである。
【図２７】図２７は実施例１の物品構成情報編集処理のフローチャートであり、図２６の続きのフローチャートである。
【図２８】図２８は実施例１の物品構成情報編集処理のフローチャートであり、図２７の続きのフローチャートである。
【図２９】図２９は実施例１の製図端末での製図処理のフローチャートである。
【図３０】図３０は実施例１の製図処理のフローチャートであり、図２９の続きのフローチャートである。
【図３１】図３１は実施例１の製図処理のフローチャートであり、図３０の続きのフローチャートである。
【図３２】図３２は実施例１の物品情報サーバでの情報配信処理のフローチャートである。
【図３３】図３３は実施例１の情報配信処理のフローチャートであり、図３２の続きのフローチャートである。
【図３４】図３４は実施例１の部品情報サーバでの部品情報配信処理のフローチャートである。
【符号の説明】
【０１３４】
３…構成情報編集装置、
６…物品構成情報記憶装置、
７…特性情報記憶装置、
２８…物品構成情報表示画面、
２８ａ…構成部品特定情報表示欄、
２８ｆ２…部品識別情報表示欄、
２８ｆ３…特性特定情報表示欄、
２８ｆ４…材料識別情報表示欄、
２９ｄ…反映確認画面、
Ｃ１ａ…材料情報記憶手段、
Ｃ１ｂ…部品特性情報記憶手段、
Ｃ１０…特性情報反映手段、
Ｃ１１…物品構成情報記憶手段、
Ｃ５７…物品構成情報表示手段、
Ｃ５８Ａ１１…改訂回数判別手段，告知手段、
Ｃ５８Ｄ２…特性特定情報編集判別手段、
Ｃ５８Ｄ３…反映確認画面表示手段、
Ｈ２…表示器、
Ｈ３，Ｈ４…入力部材、
Ｓ…設計支援システム。
【図１】
0004877245.tif 000002
【図２】
0004877245.tif 000003
【図３】
0004877245.tif 000004
【図４】
0004877245.tif 000005
【図５】
0004877245.tif 000006
【図６】
0004877245.tif 000007
【図７】
0004877245.tif 000008
【図９】
0004877245.tif 000009
【図１０】
0004877245.tif 000010
【図１１】
0004877245.tif 000011
【図１２】
0004877245.tif 000012
【図１３】
0004877245.tif 000013
【図１４】
0004877245.tif 000014
【図１６】
0004877245.tif 000015
【図１７】
0004877245.tif 000016
【図１８】
0004877245.tif 000017
【図１９】
0004877245.tif 000018
【図２０】
0004877245.tif 000019
【図２１】
0004877245.tif 000020
【図２２】
0004877245.tif 000021
【図２３】
0004877245.tif 000022
【図２４】
0004877245.tif 000023
【図２５】
0004877245.tif 000024
【図２６】
0004877245.tif 000025
【図２７】
0004877245.tif 000026
【図２８】
0004877245.tif 000027
【図２９】
0004877245.tif 000028
【図３０】
0004877245.tif 000029
【図３１】
0004877245.tif 000030
【図３２】
0004877245.tif 000031
【図３３】
0004877245.tif 000032
【図３４】
0004877245.tif 000033
【図８】
0004877245.tif 000034
【図１５】
0004877245.tif 000035